(57)【特許請求の範囲】
【請求項１】
無線機器によるＰＤＳＣＨを受信する方法であって、
カバレッジ増大（ＣＥ）に対して設定された前記無線機器が、第１の複数のダウンリンクサブフレーム上で繰り返されるダウンリンク制御チャネルを受信するステップと、
前記ダウンリンク制御チャネルが繰り返される前記第１の複数のダウンリンクサブフレームのうちの最後のサブフレームを決定するステップと、
前記最後のサブフレームに基づいて、第２の複数のダウンリンクサブフレーム上で繰り返される前記ＰＤＳＣＨを受信するための開始サブフレームを決定するステップと、
システム情報ブロック（ＳＩＢ）が受信される任意サブフレームは、該ＳＩＢ以外のダウンリンクデータを含む前記ＰＤＳＣＨを受信するために使用されないことを考慮するステップと、
を含み、
前記ＰＤＳＣＨの受信は、サブフレームｎ以後のｋ番目の有効サブフレームから開始し、
前記サブフレームｎは、前記ダウンリンク制御チャネルの繰り返しが終了される前記最後のサブフレームであり、
前記ｋは、２より大きい、または同じであり、前記有効サブフレームは、あらかじめ設定され、
前記ＰＤＳＣＨの繰り返しに関連するダウンリンクサブフレームの総数は、前記ＰＤＳＣＨの受信のために使用される前記第２の複数のダウンリンクサブフレーム及び前記ＰＤＳＣＨの受信のために使用されないその他のダウンリンクサブフレームに基づいてカウントされる、方法。
【請求項２】
前記ＳＩＢが受信されるサブフレーム上で前記ＰＤＳＣＨの受信を放棄するステップをさらに含む、請求項１に記載の方法。
【請求項３】
有効サブフレームに設定されないサブフレーム上で前記ＰＤＳＣＨを受信しないステップ、または、
前記有効サブフレームに設定されないサブフレーム上で前記ＰＤＳＣＨの受信を放棄するステップをさらに含む、請求項１に記載の方法。
【請求項４】
前記有効サブフレームに対する情報を含むＳＩＢを受信するステップをさらに含む、請求項１に記載の方法。
【請求項５】
前記受信のために使われないその他のダウンリンクサブフレームを含むダウンリンクサブフレームの総数をカウントするステップをさらに含む、請求項１に記載の方法。
【請求項６】
ＰＤＳＣＨを受信する無線機器であって、
カバレッジ増大（ＣＥ）に対して設定され、第１の複数のダウンリンクサブフレーム上で繰り返されるダウンリンク制御チャネルを受信するよう構成される送受信部と、
前記ダウンリンク制御チャネルが繰り返される前記第１の複数のダウンリンクサブフレームのうちの最後のサブフレームを決定し、前記最後のサブフレームに基づいて、第２の複数のダウンリンクサブフレーム上で繰り返される前記ＰＤＳＣＨを受信するための開始サブフレームを決定し、システム情報ブロック（ＳＩＢ）が受信される任意サブフレームは、該ＳＩＢ以外のダウンリンクデータを含む前記ＰＤＳＣＨを受信するために使用されないことを考慮するよう構成されるプロセッサと、を含み、
前記ＰＤＳＣＨの受信は、サブフレームｎ以後のｋ番目の有効サブフレームから開始し、
前記サブフレームｎは、前記ダウンリンク制御チャネルの繰り返しが終了される前記最後のサブフレームであり、
前記ｋは、２より大きい、または同じであり、前記有効サブフレームは、あらかじめ設定され、
前記ＰＤＳＣＨの繰り返しに関連するダウンリンクサブフレームの総数は、前記ＰＤＳＣＨの受信のために使用される前記第２の複数のダウンリンクサブフレーム及び前記ＰＤＳＣＨの受信のために使用されないその他のダウンリンクサブフレームに基づいてカウントされる、無線機器。
【請求項７】
前記プロセッサは、前記ＳＩＢが受信されるサブフレーム上で前記ＰＤＳＣＨの受信を放棄するようさらに構成される、請求項６に記載の無線機器。
【請求項８】
前記プロセッサは、
有効サブフレームに設定されないサブフレーム上で前記ＰＤＳＣＨを受信しない、または
前記有効サブフレームに設定されないサブフレーム上で前記ＰＤＳＣＨの受信を放棄するようさらに構成される、請求項６に記載の無線機器。
【請求項９】
前記送受信部は、前記有効サブフレームに対する情報を含むＳＩＢを受信するようさらに構成される、請求項６に記載の無線機器。
【請求項１０】
前記ダウンリンク制御チャネルの繰り返しを受信するために、前記プロセッサは、前記受信のために使われないその他のダウンリンクサブフレームを含むダウンリンクサブフレームの総数をカウントするようさらに構成される、請求項６に記載の無線機器。
【発明の詳細な説明】
【技術分野】
【０００１】
本発明は、移動通信に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
３ＧＰＰ  ＴＳ  ３６．２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）”に開示されているように、ＬＴＥにおいて、物理チャネルは、ダウンリンクチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＤＣＣＨ（Ｐｈｙｓｉｃａｌ  Ｄｏｗｎｌｉｎｋ  Ｃｏｎｔｒｏｌ  Ｃｈａｎｎｅｌ）、アップリンクチャネルであるＰＵＳＣＨ（Ｐｈｙｓｉｃａｌ  Ｕｐｌｉｎｋ  Ｓｈａｒｅｄ  Ｃｈａｎｎｅｌ）とＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【０００４】
一方、最近、人間との相互作用（ｈｕｍａｎ  ｉｎｔｅｒａｃｔｉｏｎ）なく、即ち、人間の介入なく装置間または装置とサーバとの間に発生する通信、即ち、ＭＴＣ（Ｍａｃｈｉｎｅ  Ｔｙｐｅ  Ｃｏｍｍｕｎｉｃａｔｉｏｎ）に対する研究が活発に行われている。ＭＴＣは、人間が使用する端末でない機械装置が既存無線通信ネットワークを利用して通信する概念を意味する。
【０００５】
ＭＴＣの特性は、一般的な端末と異なるため、ＭＴＣ通信に最適化されたサービスは、人間対人間（ｈｕｍａｎ  ｔｏ  ｈｕｍａｎ）通信に最適化されたサービスと異なる。ＭＴＣ通信は、現在の移動ネットワーク通信サービス（Ｍｏｂｉｌｅ  Ｎｅｔｗｏｒｋ  Ｃｏｍｍｕｎｉｃａｔｉｏｎ  Ｓｅｒｖｉｃｅ）と比較して、互いに異なるマーケットシナリオ（ｍａｒｋｅｔ  ｓｃｅｎａｒｉｏ）、データ通信、少ない費用と努力、潜在的に非常に多くの数のＭＴＣ機器、広いサービス領域、及びＭＴＣ機器当たり低いトラフィック（ｔｒａｆｆｉｃ）などで特徴されることができる。
【０００６】
他方、最近、ＭＴＣ機器のために基地局のセルカバレッジを拡張または増大することを考慮している。しかし、ＭＴＣ機器がカバレッジ拡張（ｃｏｖｅｒａｇｅ  ｅｘｔｅｎｓｉｏｎ：ＣＥ）またはカバレッジ増大（ｃｏｖｅｒａｇｅ  ｅｎｈａｎｃｅｍｅｎｔ：ＣＥ）地域に位置する場合、ダウンリンクチャネルを正確に受信することができない。そのために、基地局は、同じダウンリンクチャネルを複数のサブフレーム上で繰り返し送信することを考慮することができる。
【０００７】
しかし、既存ＬＴＥ技術によると、ＰＤＣＣＨとＰＤＳＣＨは、一つのサブフレーム上で送信される。もし、ＣＥによってＰＤＣＣＨとＰＤＳＣＨが繰り返し送信される場合、ＭＴＣ機器は、ＰＤＣＣＨの繰り返しを全て受信した後、デコーディングするまでＰＤＳＣＨの繰り返しを全て格納しなければならないという問題がある。
【０００８】
また、既存ＬＴＥ技術によると、ＰＤＣＣＨをサブフレームｎで受信した場合、ＭＴＣ機器は、サブフレームｎ＋ｋでＰＵＳＣＨを送信した。しかし、ＣＥによってＰＤＣＣＨが繰り返し受信される場合、ＭＴＣ機器は、ＰＵＳＣＨの送信タイミングがわかりにくい。
【発明の概要】
【発明が解決しようとする課題】
【０００９】
したがって、本明細書の開示は、前述した問題点を解決することを目的とする。
【課題を解決するための手段】
【００１０】
前述した目的を達成するために、本明細書の開示は、低機能（ｌｏｗ−ｃａｐａｂｉｌｉｔｙ：ＬＣ）または低費用（ｌｏｗ−ｃｏｓｔ：ＬＣ）機器でＰＤＳＣＨ（ｐｈｙｓｉｃａｌ  ｄｏｗｎｌｉｎｋ  ｓｈａｒｅｄ  ｃｈａｎｎｅｌ）を受信する方法を提供する。前記方法は、前記ＬＣ機器がカバレッジ増大（ｃｏｖｅｒａｇｅ  ｅｎｈａｎｃｅｍｅｎｔ：ＣＥ）が設定された場合、ダウンリンク制御チャネルの繰り返しを受信するステップ、前記受信が終了される最後のサブフレームを決定するステップ、及び、前記最後のサブフレームに基づいてＰＤＳＣＨの繰り返しを受信するための開始サブフレームを決定するステップを含む。前記ＰＤＳＣＨの受信は、サブフレームｎ以後のｋ番目の有効サブフレームで開始され、前記サブフレームｎは、前記ダウンリンク制御チャネルの受信が終了される前記最後のサブフレームである。前記ｋは、２より大きいまたは同じであり、前記有効サブフレームは、あらかじめ設定される。
【００１１】
前記方法は、システム情報ブロック（ＳＩＢ）が受信される任意サブフレームは、前記ＰＤＳＣＨの受信に利用されないと考慮するステップ、または、前記ＳＩＢが受信されるサブフレーム上では前記ＰＤＳＣＨの受信を放棄（ｄｒｏｐ）するステップをさらに含む。
【００１２】
前記方法は、有効サブフレームに設定されないサブフレーム上では前記ＰＤＳＣＨを受信しないステップ、または、前記有効サブフレームに設定されないサブフレーム上では前記ＰＤＳＣＨの受信を放棄（ｄｒｏｐ）するステップをさらに含む。
【００１３】
前記方法は、前記有効サブフレームに対する情報を含むＳＩＢを受信するステップをさらに含む。
【００１４】
前記方法は、前記ＰＤＳＣＨの繰り返しを受信するために、前記受信のために使われない他のサブフレームまで含む全体ダウンリンクサブフレームの個数をカウントするステップをさらに含む。
【００１５】
前述した目的を達成するために、本明細書の開示は、低機能（ｌｏｗ−ｃａｐａｂｉｌｉｔｙ：ＬＣ）または低費用（ｌｏｗ−ｃｏｓｔ：ＬＣ）機器でＰＵＳＣＨ（ｐｈｙｓｉｃａｌ  ｕｐｌｉｎｋ  ｓｈａｒｅｄ  ｃｈａｎｎｅｌ）を送信する方法を提供する。前記方法は、前記ＬＣ機器がカバレッジ増大（ｃｏｖｅｒａｇｅ  ｅｎｈａｎｃｅｍｅｎｔ：ＣＥ）が設定された場合、ダウンリンク制御チャネルの繰り返しを受信するステップ、前記受信が終了される最後のサブフレームを決定するステップ、及び、前記最後のサブフレームに基づいて前記ＰＵＳＣＨの繰り返しを送信するための開始サブフレームを決定するステップを含む。前記ＰＵＳＣＨの送信は、サブフレームｎ以後のｋ番目の有効サブフレームで開始され、前記サブフレームｎは、前記ダウンリンク制御チャネルの受信が終了される前記最後のサブフレームである。前記ｋは、４より大きいまたは同じであり、前記有効サブフレームは、あらかじめ設定される。
【００１６】
前記繰り返しの回数がＮである場合、前記Ｎは、有効サブフレームのみを利用してカウントされる。
【００１７】
前記方法は、前記有効サブフレームに対する情報を含むＳＩＢを受信するステップをさらに含む。
【００１８】
前記方法は、有効サブフレームだけでなく、有効でないサブフレームも含む連続的なサブフレー上で循環的にインデックスされるＲＶ（ｒｅｄｕｎｄａｎｃｙ  ｖｅｒｓｉｏｎ）の値を利用するステップをさらに含む。
【００１９】
前述した目的を達成するために、本明細書の開示は、ＰＤＳＣＨ（ｐｈｙｓｉｃａｌ  ｄｏｗｎｌｉｎｋ  ｓｈａｒｅｄ  ｃｈａｎｎｅｌ）を受信する低機能（ｌｏｗ−ｃａｐａｂｉｌｉｔｙ：ＬＣ）または低費用（ｌｏｗ−ｃｏｓｔ：ＬＣ）機器を提供する。前記ＬＣ機器は、前記ＬＣ機器がカバレッジ増大（ｃｏｖｅｒａｇｅ  ｅｎｈａｎｃｅｍｅｎｔ：ＣＥ）が設定された場合、ダウンリンク制御チャネルの繰り返しを受信する送受信部、及び、前記受信が終了される最後のサブフレームを決定し、前記最後のサブフレームに基づいてＰＤＳＣＨの繰り返しを受信するための開始サブフレームを決定するプロセッサを含む。前記ＰＤＳＣＨの受信は、サブフレームｎ以後のｋ番目の有効サブフレームで開始される。前記サブフレームｎは、前記ダウンリンク制御チャネルの受信が終了される前記最後のサブフレームであり、前記ｋは、２より大きいまたは同じであり、前記有効サブフレームは、あらかじめ設定される。
【００２０】
前述した目的を達成するために、本明細書の開示は、ＰＵＳＣＨ（ｐｈｙｓｉｃａｌ  ｕｐｌｉｎｋ  ｓｈａｒｅｄ  ｃｈａｎｎｅｌ）を送信する低機能（ｌｏｗ−ｃａｐａｂｉｌｉｔｙ：ＬＣ）または低費用（ｌｏｗ−ｃｏｓｔ：ＬＣ）機器を提供する。前記ＬＣ機器は、前記ＬＣ機器がカバレッジ増大（ｃｏｖｅｒａｇｅ  ｅｎｈａｎｃｅｍｅｎｔ：ＣＥ）が設定された場合、ダウンリンク制御チャネルの繰り返しを受信する送受信部、及び、前記受信が終了される最後のサブフレームを決定し、前記最後のサブフレームに基づいて前記ＰＵＳＣＨの繰り返しを送信するための開始サブフレームを決定するプロセッサを含む。前記ＰＵＳＣＨの送信は、サブフレームｎ以後のｋ番目の有効サブフレームで開始され、前記サブフレームｎは、前記ダウンリンク制御チャネルの受信が終了される前記最後のサブフレームであり、前記ｋは、４より大きいまたは同じであり、前記有効サブフレームは、あらかじめ設定される。
【発明の効果】
【００２１】
本明細書の開示によると、前述した従来技術の問題点が解決されることができる。
【図面の簡単な説明】
【００２２】
【図１】無線通信システムである。
【図２】３ＧＰＰ  ＬＴＥにおいて、ＦＤＤによる無線フレーム（ｒａｄｉｏ  ｆｒａｍｅ）の構造を示す。
【図３】３ＧＰＰ  ＬＴＥにおいて、ＴＤＤによるダウンリンク無線フレームの構造を示す。
【図４】３ＧＰＰ  ＬＴＥにおいて、一つのアップリンクまたはダウンリンクスロットに対するリソースグリッド（ｒｅｓｏｕｒｃｅ  ｇｒｉｄ）を示す例示図である。
【図５】ダウンリンクサブフレームの構造を示す。
【図６】３ＧＰＰ  ＬＴＥにおいて、アップリンクサブフレームの構造を示す。
【図７】ＥＰＤＣＣＨを有するサブフレームの一例である。
【図８ａ】ＭＴＣ（Ｍａｃｈｉｎｅ  Ｔｙｐｅ  ｃｏｍｍｕｎｉｃａｔｉｏｎ）通信の一例を示す。
【図８ｂ】ＭＴＣ機器のためのセルカバレッジ拡張または増大の例示である。
【図９】ダウンリンクチャネルのバンドルを送信する例を示す例示図である。
【図１０ａ】ＭＴＣ機器が動作するサブバンドの例を示す例示図である。
【図１０ｂ】ＭＴＣ機器が動作するサブバンドの例を示す例示図である。
【図１１】ＭＴＣ機器が動作するサブバンド内で送信される制御チャネルの一例を示す。
【図１２ａ】本明細書の開示によってＭ−ＰＤＣＣＨのバンドルとＰＤＳＣＨのバンドルが送信される例を示す例示図である。
【図１２ｂ】本明細書の開示によってＭ−ＰＤＣＣＨのバンドルとＰＵＳＣＨのバンドルが送信される例を示す例示図である。
【図１３】バンドルの送受信タイミングを示す例示図である。
【図１４ａ】ＰＤＳＣＨのタイミングの例を示す。
【図１４ｂ】ＰＤＳＣＨのタイミングの例を示す。
【図１４ｃ】ＰＤＳＣＨのタイミングの例を示す。
【図１５ａ】ＰＵＳＣＨのタイミングに対する例示図である。
【図１５ｂ】ＰＵＳＣＨのタイミングに対する例示図である。
【図１６ａ】繰り返し送信のためのサブフレームのバンドル内でＲＶ値の使用例を示す。
【図１６ｂ】繰り返し送信のためのサブフレームのバンドル内でＲＶ値の使用例を示す。
【図１７】交差−サブバンドスケジューリングでＤＣＩ内のＤＡＩを活用する例を示す。
【図１８】交差−サブバンドスケジューリングの例を示す。
【図１９】同じ（セルフ）−サブバンドスケジューリングの例を示す。
【図２０ａ】ギャップサブフレーム上でＬＣ機器のＰＤＳＣＨ受信動作を示す。
【図２０ｂ】ギャップサブフレーム上でＬＣ機器のＰＵＳＣＨ送信動作を示す。
【図２１ａ】交差−サブバンドスケジューリングの例を示す。
【図２１ｂ】交差−サブバンドスケジューリングの例を示す。
【図２２】１番目の有効なサブフレーム上でＰＤＳＣＨを受信する例を示す。
【図２３ａ】１番目の有効なサブフレーム上でＰＤＳＣＨを受信する他の例を示す。
【図２３ｂ】１番目の有効なサブフレーム上でＰＤＳＣＨを受信する他の例を示す。
【図２４ａ】１番目の有効なサブフレーム上でＰＤＳＣＨを受信する他の例を示す。
【図２４ｂ】１番目の有効なサブフレーム上でＰＤＳＣＨを受信する他の例を示す。
【図２４ｃ】１番目の有効なサブフレーム上でＰＤＳＣＨを受信する他の例を示す。
【図２５ａ】Ｋ番目の有効なサブフレーム上でＰＤＳＣＨを受信する例を示す。
【図２５ｂ】Ｋ番目の有効なサブフレーム上でＰＤＳＣＨを受信する例を示す。
【図２６ａ】Ｋ番目の有効なサブフレーム上でＰＤＳＣＨの受信を開始する方案を示す流れ図である。
【図２６ｂ】Ｋ番目の有効なサブフレーム上でＰＵＳＣＨの送信を開始する方案を示す流れ図である。
【図２７】本明細書の開示が具現される無線通信システムを示すブロック図である。
【発明を実施するための形態】
【００２３】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は、多様な無線通信システムに適用されることができる。以下、ＬＴＥとは、ＬＴＥ及び／またはＬＴＥ−Ａを含む。
【００２４】
本明細書で使われる技術的用語は、単に特定の実施例を説明するために使われたものであり、本発明を限定するものではないことに留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的用語である場合、当業者が正確に理解することができる技術的用語に変えて理解しなければならない。また、本発明で使われる一般的な用語は、辞書の定義によってまたは前後の文脈によって解釈されなければならず、過度に縮小された意味で解釈されてはならない。
【００２５】
また、本明細書で使われる単数の表現は、文脈上、明白に異なる意味ではない限り、複数の表現を含む。本出願において、「構成される」または「有する」などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００２６】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００２７】
一構成要素が他の構成要素に「連結されている」または「接続されている」と言及された場合、該当他の構成要素に直接的に連結されており、または接続されていることもあるが、中間に他の構成要素が存在することもある。それに対して、一構成要素が他の構成要素に「直接連結されている」または「直接接続されている」と言及された場合、中間に他の構成要素が存在しないと理解しなければならない。
【００２８】
以下、添付図面を参照して本発明による好ましい実施例を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面外に全ての変更、均等物乃至代替物にまで拡張されると解釈されなければならない。
【００２９】
以下で使われる用語である基地局は、一般的に無線機器と通信する固定局（ｆｉｘｅｄ  ｓｔａｔｉｏｎ）を意味し、ｅＮｏｄｅＢ（ｅｖｏｌｖｅｄ−ＮｏｄｅＢ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００３０】
また、以下で使われる用語であるＵＥ（Ｕｓｅｒ  Ｅｑｕｉｐｍｅｎｔ）は、固定されてもよいし、移動性を有してもよく、機器（Ｄｅｖｉｃｅ）、無線機器（Ｗｉｒｅｌｅｓｓ  Ｄｅｖｉｃｅ）、端末（Ｔｅｒｍｉｎａｌ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。
【００３１】
図１は、無線通信システムである。
【００３２】
図１を参照してわかるように、無線通信システムは、少なくとも一つの基地局（ｂａｓｅ  ｓｔａｔｉｏｎ、ＢＳ）２０を含む。各基地局２０は、特定の地理的領域（一般的にセルという）２０ａ、２０ｂ、２０ｃに対して通信サービスを提供する。また、セルは、複数の領域（セクターという）に分けられる。
【００３３】
ＵＥは、通常的に、一つのセルに属し、ＵＥが属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、ＵＥを基準にして相対的に決定される。
【００３４】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００３５】
一方、無線通信システムは、大いに、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信とＵＥによるアップリンク送信が同時に実行されることができない。アップリンク送信とダウンリンク送信がサブフレーム単位で区分されるＴＤＤシステムにおいて、アップリンク送信とダウンリンク送信は、互いに異なるサブフレームで実行される。
【００３６】
以下、ＬＴＥシステムに対し、より詳細に説明する。
【００３７】
図２は、３ＧＰＰ  ＬＴＥにおいて、ＦＤＤによる無線フレーム（ｒａｄｉｏ  ｆｒａｍｅ）の構造を示す。
【００３８】
図２に示す無線フレームは、３ＧＰＰ  ＴＳ  ３６.２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）”の５節を参照することができる。
【００３９】
図２を参照すると、無線フレームは、１０個のサブフレーム（ｓｕｂｆｒａｍｅ）を含み、一つのサブフレームは、２個のスロット（ｓｌｏｔ）を含む。無線フレーム内のスロットは、０から１９までのスロット番号が付けられる。一つのサブフレームの送信にかかる時間を送信時間区間（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００４０】
無線フレームの構造は、例示に過ぎず、無線フレームに含まれるサブフレームの数またはサブフレームに含まれるスロットの数等は、多様に変更されることができる。
【００４１】
一方、一つのスロットは、複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。一つのスロットに含まれるＯＦＤＭシンボルの数は、循環前置（ｃｙｃｌｉｃ  ｐｒｅｆｉｘ：ＣＰ）によって変わることができる。ノーマル（ｎｏｒｍａｌ）ＣＰで、１スロットは７ＯＦＤＭシンボルを含み、拡張（ｅｘｔｅｎｄｅｄ）ＣＰで、１スロットは６ＯＦＤＭシンボルを含む。ここで、ＯＦＤＭシンボルは、３ＧＰＰ  ＬＴＥがダウンリンク（ｄｏｗｎｌｉｎｋ、ＤＬ）でＯＦＤＭＡ（ｏｒｏｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用するため、時間領域で一つのシンボル区間（ｓｙｍｂｏｌ  ｐｅｒｉｏｄ）を表現するためのものに過ぎず、多重接続方式や名称に制限をおくものではない。例えば、ＯＦＤＭシンボルは、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボル、シンボル区間など、他の名称で呼ばれることもある。
【００４２】
図３は、３ＧＰＰ  ＬＴＥにおいて、ＴＤＤによるダウンリンク無線フレームの構造を示す。
【００４３】
これは３ＧＰＰ  ＴＳ  ３６．２１１  Ｖ１０．４．０（２０１１−１２）“Ｅｖｏｌｖｅｄ  Ｕｎｉｖｅｒｓａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）”の４節を参照することができ、ＴＤＤ（Ｔｉｍｅ  Ｄｉｖｉｓｉｏｎ  Ｄｕｐｌｅｘ）のためのことである。
【００４４】
インデックス＃１とインデックス＃６を有するサブフレームは、スペシャルサブフレームといい、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、及びＵｐＰＴＳ（Ｕｐｌｉｎｋ  Ｐｉｌｏｔ  Ｔｉｍｅ  Ｓｌｏｔ）を含む。ＤｗＰＴＳは、ＵＥでの初期セル探索、同期化またはチャネル推定に使われる。ＵｐＰＴＳは、基地局でのチャネル推定とＵＥのアップリンク送信同期を合わせるのに使われる。ＧＰは、アップリンクとダウンリンクとの間にダウンリンク信号の多重経路遅延によりアップリンクで発生する干渉を除去するための区間である。
【００４５】
ＴＤＤでは、一つの無線フレームにＤＬ（ｄｏｗｎｌｉｎｋ）サブフレームとＵＬ（Ｕｐｌｉｎｋ）サブフレームが共存する。表１は、無線フレームの設定（ｃｏｎｆｉｇｕｒａｔｉｏｎ）の一例を示す。
【００４６】
【表１】
0006676070.tif 000002
【００４７】
‘Ｄ’はＤＬサブフレームを示し、‘Ｕ’はＵＬサブフレームを示し、‘Ｓ’はスペシャルサブフレームを示す。基地局からＵＬ−ＤＬ設定を受信すると、ＵＥは、無線フレームの設定によって、どのサブフレームがＤＬサブフレームかまたはＵＬサブフレームかを知ることができる。
【００４８】
【表２】
0006676070.tif 000003
【００４９】
図４は、３ＧＰＰ  ＬＴＥにおいて、一つのアップリンクまたはダウンリンクスロットに対するリソースグリッド（ｒｅｓｏｕｒｃｅ  ｇｒｉｄ）を示す例示図である。
【００５０】
図４を参照すると、スロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域（ｆｒｅｑｕｅｎｃｙ  ｄｏｍａｉｎ）でＮＲＢ個のリソースブロック（ＲＢ）を含む。例えば、ＬＴＥシステムにおけるリソースブロック（ＲＢ）の個数、即ち、ＮＲＢは、６乃至１１０のうちいずれか一つである。
【００５１】
リソースブロック（ｒｅｓｏｕｒｃｅ  ｂｌｏｃｋ：ＲＢ）は、リソース割当単位であり、一つのスロットで複数の副搬送波を含む。例えば、一つのスロットが時間領域で７個のＯＦＤＭシンボルを含み、リソースブロックは、周波数領域で１２個の副搬送波を含む場合、一つのリソースブロックは、７×１２個のリソース要素（ｒｅｓｏｕｒｃｅ  ｅｌｅｍｅｎｔ：ＲＥ）を含むことができる。
【００５２】
一方、一つのＯＦＤＭシンボルにおける副搬送波の数は、１２８、２５６、５１２、１０２４、１５３６及び２０４８の中から一つを選定して使用することができる。
【００５３】
図３の３ＧＰＰ  ＬＴＥにおいて、一つのアップリンクスロットに対するリソースグリッドは、ダウンリンクスロットに対するリソースグリッドにも適用されることができる。
【００５４】
図５は、ダウンリンクサブフレームの構造を示す。
【００５５】
図５には、ノーマルＣＰを仮定して例示的に一つのスロット内に７ＯＦＤＭシンボルが含むことを示した。
【００５６】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域にはＰＤＳＣＨが割り当てられる。
【００５７】
３ＧＰＰ  ＬＴＥにおいて、物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）及びＰＵＳＣＨ（Ｐｈｙｓｉｃａｌ  Ｕｐｌｉｎｋ  Ｓｈａｒｅｄ  Ｃｈａｎｎｅｌ）、並びに制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、及びＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００５８】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ：ＤＣＩ）という。ＤＣＩは、ＰＤＳＣＨのリソース割当（これをＤＬグラント（ｄｏｗｎｌｉｎｋ  ｇｒａｎｔ）ともいう）、ＰＵＳＣＨのリソース割当（これをＵＬグラント（ｕｐｌｉｎｋ  ｇｒａｎｔ）ともいう）、任意のＵＥグループ内の個別ＵＥに対する送信パワー制御命令のセット及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００５９】
３ＧＰＰ  ＬＴＥでは、ＰＤＣＣＨの検出のためにブラインド復号を使用する。ブラインド復号は、受信されるＰＤＣＣＨ（これを候補（ｃａｎｄｉｄａｔｅ）ＰＤＣＣＨという）のＣＲＣ（Ｃｙｃｌｉｃ  Ｒｅｄｕｎｄａｎｃｙ  Ｃｈｅｃｋ）に所望の識別子をデマスキングし、ＣＲＣエラーをチェックして該当ＰＤＣＣＨが自分の制御チャネルかどうかを確認する方式である。基地局は、無線機器に送ろうとするＤＣＩによってＰＤＣＣＨフォーマットを決定した後、ＤＣＩにＣＲＣを付けて、ＰＤＣＣＨの所有者（ｏｗｎｅｒ）や用途によって固有な識別子（ＲＮＴＩ）をＣＲＣにマスキングする。
【００６０】
３ＧＰＰ  ＬＴＥでは、ブラインドデコーディングによる負担を減らすために、検索空間（ｓｅａｒｃｈ  ｓｐａｃｅ）を使用する。検索空間は、ＰＤＣＣＨのためのＣＣＥのモニタリングセット（ｍｏｎｉｔｏｒｉｎｇ  ｓｅｔ）ということができる。端末は、該当する検索空間内でＰＤＣＣＨをモニタリングする。
【００６１】
端末がＣ−ＲＮＴＩに基づいてＰＤＣＣＨをモニタリングする時、ＰＤＳＣＨの送信モード（ｔｒａｎｓｍｉｓｓｉｏｎ  ｍｏｄｅ：ＴＭ）によってモニタリングするＤＣＩフォーマットと検索空間が決定される。以下の表は、Ｃ−ＲＮＴＩが設定されたＰＤＣＣＨモニタリングの例を示す。
【００６２】
【表３−１】
0006676070.tif 000004
【００６３】
【表３−２】
0006676070.tif 000005
【００６４】
ＤＣＩフォーマットの用途は、以下の表のように区分される。
【００６５】
【表４】
0006676070.tif 000006
【００６６】
例えば、３ＧＰＰ  ＴＳ  ３６．２１２  Ｖ１０．２．０（２０１１−０６）の５．３．３．１．１節を参照し、ＤＣＩフォーマット０を説明すると、以下の表に示すようなフィールドを含む。
【００６７】
【表５】
0006676070.tif 000007
【００６８】
以上の表において、リダンダンシーバージョン（ｒｅｄｕｎｄａｎｃｙ  ｖｅｒｓｉｏｎ：ＲＶ）フィールドは、ＨＡＲＱ動作のために使われる。リダンダンシーバージョン（ＲＶ）フィールドは、０、２、３、１のうちいずれか一つを含むことができる。０、２、３、１は、循環して繰り返し使われる。
【００６９】
アップリンクチャネルは、ＰＵＳＣＨ、ＰＵＣＣＨ、ＳＲＳ（Ｓｏｕｎｄｉｎｇ  Ｒｅｆｅｒｅｎｃｅ  Ｓｉｇｎａｌ）、ＰＲＡＣＨ（Ｐｈｙｓｉｃａｌ  Ｒａｎｄｏｍ  Ａｃｃｅｓｓ  Ｃｈａｎｎｅｌ）を含む。
【００７０】
図６は、３ＧＰＰ  ＬＴＥにおいて、アップリンクサブフレームの構造を示す。
【００７１】
図６を参照すると、アップリンクサブフレームは、周波数領域で制御領域とデータ領域とに分けられる。制御領域には、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域には、データ（場合によって、制御情報も共に送信されることができる）が送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。
【００７２】
一つのＵＥに対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準にして変更される。これをＰＵＣＣＨに割り当てられるＲＢ対がスロット境界で周波数がホッピング（ｆｒｅｑｕｅｎｃｙ−ｈｏｐｐｅｄ）されたという。
【００７３】
ＵＥがアップリンク制御情報を時間によって互いに異なる副搬送波を介して送信することによって、周波数ダイバーシティ（ｆｒｅｑｕｅｎｃｙ  ｄｉｖｅｒｓｉｔｙ）利得を得ることができる。ｍは、サブフレーム内でＰＵＣＣＨに割り当てられたリソースブロック対の論理的な周波数領域位置を示す位置インデックスである。
【００７４】
ＰＵＣＣＨ上に送信されるアップリンク制御情報にはＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を示すＣＱＩ（ｃｈａｎｎｅｌ  ｑｕａｌｉｔｙ  ｉｎｄｉｃａｔｏｒ）、アップリンク無線リソース割当要求であるＳＲ（ｓｃｈｅｄｕｌｉｎｇ  ｒｅｑｕｅｓｔ）などがある。
【００７５】
ＰＵＳＣＨは、トランスポートチャネル（ｔｒａｎｓｐｏｒｔ  ｃｈａｎｎｅｌ）であるＵＬ−ＳＣＨにマッピングされる。ＰＵＳＣＨ上に送信されるアップリンクデータは、送信時間区間（ＴＴＩ）の間に送信されるＵＬ−ＳＣＨのためのデータブロックであるトランスポートブロック（ｔｒａｎｓｐｏｒｔ  ｂｌｏｃｋ）である。トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報にはＣＱＩ、ＰＭＩ（Ｐｒｅｃｏｄｉｎｇ  Ｍａｔｒｉｘ  ｉｎｄｉｃａｔｏｒ）、ＨＡＲＱ、ＲＩ（ｒａｎｋ  ｉｎｄｉｃａｔｏｒ）などがある。または、アップリンクデータは、制御情報のみで構成されることもできる。
【００７６】
＜キャリアアグリゲーション＞
【００７７】
以下、キャリアアグリゲーション（ｃａｒｒｉｅｒ  ａｇｇｒｅｇａｔｉｏｎ：ＣＡ）システムに対して説明する。
【００７８】
キャリアアグリゲーションシステムは、多数のコンポーネントキャリア（ｃｏｍｐｏｎｅｎｔ  ｃａｒｒｉｅｒ：ＣＣ）をアグリゲーションすることを意味する。このようなキャリアアグリゲーションにより、既存のセルの意味が変更された。キャリアアグリゲーションによると、セルとは、ダウンリンクコンポーネントキャリアとアップリンクコンポーネントキャリアの組み合わせ、または単独のダウンリンクコンポーネントキャリアを意味する。
【００７９】
また、キャリアアグリゲーションで、セルは、プライマリセル（ｐｒｉｍａｒｙ  ｃｅｌｌ）、セカンダリセル（ｓｅｃｏｎｄａｒｙ  ｃｅｌｌ）、及びサービングセル（ｓｅｒｖｉｎｇ  ｃｅｌｌ）に区分されることができる。プライマリセルは、プライマリ周波数で動作するセルを意味し、ＵＥが基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルに指示されたセルを意味する。セカンダリセルは、セカンダリ周波数で動作するセルを意味し、ＲＲＣ接続が確立されると設定され、追加的な無線リソースの提供に使われる。
【００８０】
前述したように、キャリアアグリゲーションシステムでは、単一搬送波システムと違って複数のコンポーネントキャリア（ＣＣ）、即ち、複数のサービングセルをサポートすることができる。
【００８１】
このようなキャリアアグリゲーションシステムは、交差搬送波スケジューリングをサポートすることができる。交差搬送波スケジューリング（ｃｒｏｓｓ−ｃａｒｒｉｅｒ  ｓｃｈｅｄｕｌｉｎｇ）は、特定コンポーネントキャリアを介して送信されるＰＤＣＣＨを介して他のコンポーネントキャリアを介して送信されるＰＤＳＣＨのリソース割当及び／または特定コンポーネントキャリアと基本的にリンクされているコンポーネントキャリア以外の他のコンポーネントキャリアを介して送信されるＰＵＳＣＨのリソース割当をすることができるスケジューリング方法である。
【００８２】
＜ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）＞
【００８３】
一方、ＰＤＣＣＨは、サブフレーム内の制御領域という限定された領域でモニタリングされ、また、ＰＤＣＣＨの復調のためには全帯域で送信されるＣＲＳが使われる。制御情報の種類が多様化し、制御情報量の増加に応じて既存ＰＤＣＣＨのみではスケジューリングの柔軟性が落ちる。また、ＣＲＳ送信による負担を減らすために、ＥＰＤＣＣＨ（ｅｎｈａｎｃｅｄ  ＰＤＣＣＨ）の導入されている。
【００８４】
図７は、ＥＰＤＣＣＨを有するサブフレームの一例である。
【００８５】
サブフレームは、ゼロまたは一つのＰＤＣＣＨ領域４１０及びゼロまたはそれ以上のＥＰＤＣＣＨ領域４２０、４３０を含むことができる。
【００８６】
ＥＰＤＣＣＨ領域４２０、４３０は、無線機器がＥＰＤＣＣＨをモニタリングする領域である。ＰＤＣＣＨ領域４１０は、サブフレームの前方部の最大４個のＯＦＤＭシンボル内で位置するが、ＥＰＤＣＣＨ領域４２０、４３０は、ＰＤＣＣＨ領域４１０以後のＯＦＤＭシンボルで柔軟にスケジューリングされることができる。
【００８７】
無線機器に一つ以上のＥＰＤＣＣＨ領域４２０、４３０が指定され、無線機器は、指定されたＥＰＤＣＣＨ領域４２０、４３０でＥＰＤＣＣＨをモニタリングすることができる。
【００８８】
ＥＰＤＣＣＨ領域４２０、４３０の個数／位置／大きさ及び／またはＥＰＤＣＣＨをモニタリングするサブフレームに対する情報は、基地局が無線機器にＲＲＣメッセージ等を介して知らせることができる。
【００８９】
ＰＤＣＣＨ領域４１０では、ＣＲＳに基づいてＰＤＣＣＨを復調することができる。ＥＰＤＣＣＨ領域４２０、４３０では、ＥＰＤＣＣＨの復調のためにＣＲＳでないＤＭ（ｄｅｍｏｄｕｌａｔｉｏｎ）ＲＳを定義することができる。関連されたＤＭ  ＲＳは、対応するＥＰＤＣＣＨ領域４２０、４３０で送信されることができる。
【００９０】
各ＥＰＤＣＣＨ領域４２０、４３０は、互いに異なるセルのためのスケジューリングに使われることができる。例えば、ＥＰＤＣＣＨ領域４２０内のＥＰＤＣＣＨは、１次セルのためのスケジューリング情報を伝送し、ＥＰＤＣＣＨ領域４３０内のＥＰＤＣＣＨは、２次セルのためのスケジューリング情報を伝送することができる。
【００９１】
ＥＰＤＣＣＨ領域４２０、４３０でＥＰＤＣＣＨが多重アンテナを介して送信される時、ＥＰＤＣＣＨ領域４２０、４３０内のＤＭ  ＲＳは、ＥＰＤＣＣＨと同じプリコーディングが適用されることができる。
【００９２】
ＰＤＣＣＨが送信リソース単位でＣＣＥを使用することと比較して、ＥＰＣＣＨのための送信リソース単位をＥＣＣＥ（Ｅｎｈａｎｃｅｄ  Ｃｏｎｔｒｏｌ  Ｃｈａｎｎｅｌ  Ｅｌｅｍｅｎｔ）という。アグリゲーションレベル（ａｇｇｒｅｇａｔｉｏｎ  ｌｅｖｅｌ）は、ＥＰＤＣＣＨをモニタリングするリソース単位で定義されることができる。例えば、１ＥＣＣＥがＥＰＤＣＣＨのための最小リソースとする時、アグリゲーションレベルＬ＝｛１、２、４、８、１６｝のように定義されることができる。
【００９３】
以下、ＥＰＤＤＣＨ検索空間（ｓｅａｒｃｈ  ｓｐａｃｅ）は、ＥＰＤＣＣＨ領域に対応されることができる。ＥＰＤＣＣＨ検索空間では、一つまたはそれ以上のアグリゲーションレベル毎に一つまたはそれ以上のＥＰＤＣＣＨ候補がモニタリングされることができる。
【００９４】
以下、ＥＰＤＣＣＨのためのリソース割当に対して記述する。
【００９５】
ＥＰＤＣＣＨは、一つまたはそれ以上のＥＣＣＥを利用して送信される。ＥＣＣＥは、複数のＥＲＥＧ（Ｅｎｈａｎｃｅｄ  Ｒｅｓｏｕｒｃｅ  Ｅｌｅｍｅｎｔ  Ｇｒｏｕｐ）を含む。ＴＤＤ（Ｔｉｍｅ  Ｄｉｖｉｓｉｏｎ  Ｄｕｐｌｅｘ）ＤＬ−ＵＬ設定によるサブフレームタイプとＣＰによって、ＥＣＣＥは、４ＥＲＥＧまたは８ＥＲＥＧを含むことができる。例えば、正規ＣＰで、ＥＣＣＥは４ＥＲＥＧを含み、拡張ＣＰで、ＥＣＣＥは８ＥＲＥＧを含むことができる。
【００９６】
ＰＲＢ（Ｐｈｙｓｉｃａｌ  Ｒｅｓｏｕｒｃｅ  Ｂｌｏｃｋ）対（ｐａｉｒ）は、一つのサブフレームで同じＲＢ番号を有する２個のＰＲＢを意味する。ＰＲＢ対は、同じ周波数領域で第１のスロットの第１のＰＲＢと第２のスロットの第２のＰＲＢを意味する。正規ＣＰで、ＰＲＢ対は１２副搬送波と１４ＯＦＤＭシンボルを含み、したがって、１６８ＲＥ（ｒｅｓｏｕｒｃｅ  ｅｌｅｍｅｎｔ）を含む。
【００９７】
ＥＰＤＣＣＨ検索空間は、一つまたは複数のＰＲＢ対に設定されることができる。一つのＰＲＢ対は、１６ＥＲＥＧを含む。したがって、ＥＣＣＥが４ＥＲＥＧを含むと、ＰＲＢ対は４ＥＣＣＥを含み、ＥＣＣＥが８ＥＲＥＧを含めると、ＰＲＢ対は２ＥＣＣＥを含む。
【００９８】
＜ＭＴＣ（Ｍａｃｈｉｎｅ  Ｔｙｐｅ  ｃｏｍｍｕｎｉｃａｔｉｏｎ）通信＞
【００９９】
一方、以下、ＭＴＣに対して説明する。
【０１００】
図８ａは、ＭＴＣ（Ｍａｃｈｉｎｅ  Ｔｙｐｅ  ｃｏｍｍｕｎｉｃａｔｉｏｎ）通信の一例を示す。
【０１０１】
ＭＴＣ（Ｍａｃｈｉｎｅ  Ｔｙｐｅ  Ｃｏｍｍｕｎｉｃａｔｉｏｎ）は、人間相互作用（ｈｕｍａｎ  ｉｎｔｅｒａｃｔｉｏｎ）を伴わないＭＴＣ機器１００間に基地局２００を介した情報交換またはＭＴＣ機器１００とＭＴＣサーバ７００との間に基地局を介した情報交換をいう。
【０１０２】
ＭＴＣサーバ７００は、ＭＴＣ機器１００と通信するエンティティ（ｅｎｔｉｔｙ）である。ＭＴＣサーバ７００は、ＭＴＣアプリケーションを実行して、ＭＴＣ機器にＭＴＣ特定サービスを提供する。
【０１０３】
ＭＴＣ機器１００は、ＭＴＣ通信を提供する無線機器であって、固定されてもよく、移動性を有してもよい。
【０１０４】
ＭＴＣを介して提供されるサービスは、既存の人間が介入する通信でのサービスとは差別性を有し、追跡（Ｔｒａｃｋｉｎｇ）、計量（Ｍｅｔｅｒｉｎｇ）、支払（Ｐａｙｍｅｎｔ）、医療分野サービス、遠隔調整など、多様な範ちゅうのサービスが存在する。より具体的に、ＭＴＣを介して提供されるサービスは、計器検針、水位測定、監視カメラの活用、自販機の在庫報告などがある。
【０１０５】
ＭＴＣ機器の特異性は、送信データ量が少なくてアップリンク／ダウンリンクデータ送受信がたまに発生するため、このような低いデータ送信率に合わせてＭＴＣ機器の単価を低くしてバッテリ消耗を減らすことが効率的である。このようなＭＴＣ機器は、移動性が少ないことを特徴とし、したがって、チャネル環境がほとんど変わらない特性を有している。
【０１０６】
一方、ＭＴＣは、ＩｏＴ（Ｉｎｔｅｒｎｅｔ  ｏｆ  Ｔｈｉｎｇｓ）とも呼ばれる。したがって、ＭＴＣ機器は、ＩｏＴ機器とも呼ばれる。
【０１０７】
図８ｂは、ＭＴＣ機器のためのセルカバレッジ拡張または増大の例示である。
【０１０８】
最近、ＭＴＣ機器１００のために、基地局のセルカバレッジを拡張または増大することを考慮しており、セルカバレッジ拡張または増大のための多様な技法が論議されている。
【０１０９】
しかし、セルのカバレッジが拡張または増大する場合、基地局がカバレッジ拡張（ｃｏｖｅｒａｇｅ  ｅｘｔｅｎｓｉｏｎ：ＣＥ）またはカバレッジ増大（ｃｏｖｅｒａｇｅ  ｅｎｈａｎｃｅｍｅｎｔ：ＣＥ）地域に位置するＭＴＣ機器にダウンリンクチャネルを送信すると、ＭＴＣ機器は、これの受信に困難を経験するようになる。
【０１１０】
図９は、ダウンリンクチャネルのバンドルを送信する例を示す例示図である。
【０１１１】
図９を参照してわかるように、基地局は、カバレッジ拡張領域に位置するＭＴＣ機器１００にダウンリンクチャネル（例えば、ＰＤＣＣＨ及び／またはＰＤＳＣＨ）を複数のサブフレーム（例えば、Ｎ個のサブフレーム）上で繰り返し送信する。このように、複数のサブフレーム上で繰り返されるダウンリンクチャネルをダウンリンクチャネルのバンドル（ｂｕｎｄｌｅ）という。
【０１１２】
一方、ＭＴＣ機器は、ダウンリンクチャネルのバンドルを複数のサブフレーム上で受信し、バンドルの一部または全部をデコーディングすることで、デコーディング成功率を高めることができる。
【０１１３】
図１０ａ及び図１０ｂは、ＭＴＣ機器が動作するサブバンドの例を示す例示図である。
【０１１４】
ＭＴＣ機器の原価低減（ｌｏｗ−ｃｏｓｔ）のための一つ方案として、図１０ａに示すように、セルのシステム帯域幅にかかわらず、ＭＴＣ機器は、例えば、１．４ＭＨｚ程度のサブバンドを使用することができる。
【０１１５】
このとき、このようなＭＴＣ機器が動作するサブバンドの領域は、図１０ａに示すように、セルのシステム帯域幅の中心領域（例えば、中間の６個のＰＲＢ）に位置することもできる。
【０１１６】
または、図１０ｂに示すように、ＭＴＣ機器間のサブフレーム内の多重化のためにＭＴＣ機器のサブバンドを一つのサブフレームに複数個置き、ＭＴＣ機器間に異なるサブバンドを使用することができる。このとき、大部分のＭＴＣ機器は、セルのシステム帯域の中心領域（例えば、中間の６個のＰＲＢ）でない他のサブバンドを使用することもできる。
【０１１７】
他方、縮小された一部帯域上で動作するＭＴＣ機器は、全体システム帯域上で基地局から送信される既存ＰＤＣＣＨを正確に受信することができない。また、他の一般のＵＥに送信されるＰＤＣＣＨとの多重化を考慮する時、既存ＰＤＣＣＨが送信されるＯＦＤＭシンボル領域でセルがＭＴＣ機器のためのＰＤＣＣＨを送信することは好ましくない。
【０１１８】
それを解決するための一つの方法として、低複雑度（ｌｏｗ−ｃｏｍｐｌｅｘｉｔｙ）／低仕様（ｌｏｗ−ｓｐｅｃｉｆｉｃａｔｉｏｎ）／低費用（ｌｏｗ−ｃｏｓｔ）のＭＴＣが動作するサブバンド内で送信されるＭＴＣ機器のための制御チャネルを導入する必要がある。
【０１１９】
図１１は、ＭＴＣ機器が動作するサブバンド内で送信される制御チャネルの一例を示す。
【０１２０】
図１１を参照してわかるように、ＭＴＣ機器がセルのシステム帯域幅全体を利用して動作することではなく、ＭＴＣ機器がセルのシステム帯域幅のうち任意ＭＴＣサブバンド上で動作する場合、基地局は、ＭＴＣサブバンド内でＭＴＣ機器のための制御チャネルを送信することができる。このような制御チャネルは、複数のサブフレーム上で繰り返し送信されることができる。
【０１２１】
このような制御チャネルは、既存のＥＰＤＣＣＨと類似する。即ち、ＭＴＣ機器のための制御チャネルは、既存のＥＰＤＣＣＨをそのまま利用して生成されることができる。または、ＭＴＣ機器のための制御チャネル（または、Ｍ−ＰＤＣＣＨ）は、既存のＰＤＣＣＨ／ＥＰＤＣＣＨが変形された形態である。
【０１２２】
以下、低複雑度（ｌｏｗ−ｃｏｍｐｌｅｘｉｔｙ）／低仕様（ｌｏｗ−ｓｐｅｃｉｆｉｃａｔｉｏｎ）／低費用（ｌｏｗ−ｃｏｓｔ）のＭＴＣ機器のための制御チャネルをＭＴＣ−ＥＰＤＣＣＨまたはＭ−ＰＤＣＣＨという。このような、ＭＴＣ−ＥＰＤＣＣＨまたはＭ−ＰＤＣＣＨは、ＭＴＣ機器のために使われることもできるが、低複雑度／低仕様／低費用のＵＥのために使われ、または、カバレッジ拡張（ｃｏｖｅｒａｇｅ  ｅｘｔｅｎｓｉｏｎ）またはカバレッジ増大（ｃｏｖｅｒａｇｅ  ｅｎｈａｎｃｅｍｅｎｔ）地域に位置するＵＥのために使われることもできる。
【０１２３】
＜本明細書で提示する問題シナリオ＞
【０１２４】
現在ＬＴＥ規格によると、既存ＵＥは、ＰＤＣＣＨを受信したサブフレームでＰＤＳＣＨをデコーディングすることができる。しかし、カバレッジ拡張／増大（ＣＥ）が設定された状況では、ＰＤＣＣＨとＰＤＳＣＨが両方とも複数のサブフレーム上にわたって繰り返し送信されることができるため、ＭＴＣ機器は、ＰＤＣＣＨを受信した後、いつＰＤＳＣＨを受信しなければならないか、即ち、ＰＤＳＣＨの受信タイミングを正確にわかりにくい。
【０１２５】
したがって、ＰＤＳＣＨの受信タイミングに対する新しい定義が必要である。
【０１２６】
また、現在ＬＴＥ規格のように、Ｍ−ＰＤＣＣＨとＰＤＳＣＨが同じサブフレームで同時に繰り返し送信される場合、ＭＴＣ機器は、Ｍ−ＰＤＣＣＨを成功的にデコーディングする時まではＰＤＳＣＨを受信することができないため、Ｍ−ＰＤＣＣＨを成功的にデコーディングする時までＰＤＳＣＨを全て格納すべきであるという問題が発生する。
【０１２７】
＜本明細書の開示＞
【０１２８】
したがって、本明細書の開示は、このような問題点を解決する方案を提示することを目的とする。以下、本明細書は、低複雑度（ｌｏｗ−ｃｏｍｐｌｅｘｉｔｙ）／低機能（ｌｏｗ−ｃａｐａｂｉｌｉｔｙ）／低仕様（ｌｏｗ−ｓｐｅｃｉｆｉｃａｔｉｏｎ）／低費用（ｌｏｗ−ｃｏｓｔ）のＭＴＣ機器をＬＣ機器という。
【０１２９】
まず、本明細書の開示によると、カバレッジ拡張／増大（ＣＥ）は、二つのモードに区分されることができる。
【０１３０】
第１のモード（または、ＣＥモードＡともいう）は、繰り返し送信が実行されない、または小さい回数の繰り返し送信のためのモードである。
【０１３１】
第２のモード（または、ＣＥモードＢともいう）は、多くの数の繰り返し送信が許容されるモードである。
【０１３２】
二つのモードのうちどのモードで動作するかに対してＬＣ機器にシグナリングされることができる。
【０１３３】
ここで、ＣＥモードによって、ＬＣ機器が制御チャネル／データチャネルの送受信のために仮定するパラメータが変わることができる。また、ＣＥモードによって、ＬＣ機器がモニタリングするＤＣＩフォーマットが変わることができる。ただし、一部物理チャネルは、ＣＥモードＡか、またはＣＥモードＢかにかかわらず同じ回数で繰り返し送信されることができる。
【０１３４】
一方、本明細書の開示によると、データ送受信の遅延が許容されるＬＣ機器は、Ｍ−ＰＤＣＣＨのバンドルを受信した後、ＰＤＳＣＨのバンドルを受信し、またはＰＵＳＣＨのバンドルを送信することができる。
【０１３５】
図１２ａは、本明細書の開示によってＭ−ＰＤＣＣＨのバンドルとＰＤＳＣＨのバンドルが送信される例を示す例示図である。
【０１３６】
図１２ａを参照すると、基地局は、カバレッジ拡張／増大（ＣＥ）が必要なＬＣ機器のために、複数（例えば、Ｎ個）のサブフレーム上に同じＭ−ＰＤＣＣＨが繰り返されるＭ−ＰＤＣＣＨのバンドルを送信することができる。また、基地局は、複数（例えば、Ｄ個）のサブフレーム上に同じＰＤＳＣＨが繰り返されるＰＤＳＣＨのバンドルを送信することができる。このとき、ＰＤＳＣＨのバンドルは、ＰＤＣＣＨのバンドルの送信が完了した後、所定ギャップ、例えば、Ｇ個のサブフレーム以後に送信されることができる。即ち、例えば、Ｍ−ＰＤＣＣＨのバンドル送信がＮ−１番目のサブフレーム上で終えた場合、Ｎ＋Ｇ番目のサブフレームからＰＤＳＣＨのバンドルがＤ個のサブフレーム上で送信されることができる。このとき、Ｎの値とＤの値は、常に同じく設定されることができる。または、Ｄの値に対する情報がＭ−ＰＤＣＣＨに含まれて送信されることができる。
【０１３７】
一方、カバレッジ拡張／増大（ＣＥ）が必要なＬＣ機器も同様に、基地局にアップリンクチャネル（例えば、ＰＵＣＣＨ及び／またはＰＵＳＣＨ）のバンドルを複数のサブフレーム上で送信することができる。
【０１３８】
図１２ｂは、本明細書の開示によってＭ−ＰＤＣＣＨのバンドルとＰＵＳＣＨのバンドルが送信される例を示す例示図である。
【０１３９】
図１２ｂを参照すると、ＬＣ機器は、同じＭ−ＰＤＣＣＨがＮ個のサブフレーム上にＮ回繰り返されるＭ−ＰＤＣＣＨのバンドルを受信した後、Ｇ個のサブフレーム以後に、Ｕ回繰り返されたＰＵＳＣＨのバンドルを送信することができる。
【０１４０】
図１２ａ及び図１２ｂにおいて、Ｍ−ＰＤＣＣＨのバンドルとＰＤＳＣＨ／ＰＵＳＣＨのバンドルとの間のサブフレーム間隔に該当するＧの値は、固定されており、またはＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ）、またはＲＲＣシグナルのような上位階層シグナルを介してＬＣ機器に設定されることができる。または、Ｍ−ＰＤＣＣＨが繰り返し送信されるサブフレームのバンドルとＰＤＳＣＨが繰り返し送信されるサブフレームのバンドルの送信間のサブフレーム間隔に該当するＧの値は、０に固定されている。即ち、Ｍ−ＰＤＣＣＨのバンドルの送信が終わった以後のサブフレームから続けてＰＤＳＣＨ／ＰＵＳＣＨサブフレームのバンドルが送信されることができる。また、Ｍ−ＰＤＣＣＨサブフレームのバンドルとＰＵＳＣＨサブフレームのバンドルの送信間のサブフレーム間隔に該当するＧの値は４にまたはＭ−ＰＤＣＣＨの繰り返し送信が設定されていない場合と同じ値に固定されている。
【０１４１】
または、Ｍ−ＰＤＣＣＨのバンドルの送信が終わった後、ＰＤＳＣＨ／ＰＵＳＣＨのバンドルの送信が開始されるべきサブフレームの位置がＰＤＳＣＨ／ＰＵＳＣＨが送信されることができないサブフレームの場合、該当サブフレーム以後のサブフレームのうち最も近いＰＤＳＣＨ／ＰＵＳＣＨが送信されることができるサブフレームでＰＤＳＣＨ／ＰＵＳＣＨのバンドルの送信が開始されることができる。
【０１４２】
他方、Ｍ−ＰＤＣＣＨを受信した後、該当Ｍ−ＰＤＣＣＨが示すＰＤＳＣＨ／ＰＵＳＣＨが送信される位置を知ることができる他の方案として、ＬＣ機器は、Ｍ−ＰＤＣＣＨのバンドルを受信した後、一定の時間後にＰＤＳＣＨ／ＰＵＳＣＨのバンドルの送信が開始されると仮定することができる。Ｍ−ＰＤＣＣＨバンドルの送信が開始されるサブフレーム位置とＰＤＳＣＨ／ＰＵＳＣＨバンドルの送信が開始されるサブフレーム位置との差をＫサブフレームとする場合（例えば、Ｋ＝１００、２００）、ＬＣ機器は、Ｍ−ＰＤＣＣＨがどのサブフレームから開始されるかを知る必要がある。例えば、Ｋ＝ＰＤＳＣＨ／ＰＵＳＣＨの送信開始サブフレームインデックス−Ｍ−ＰＤＣＣＨの送信開始サブフレームインデックスと定義する場合、ＬＣ機器は、Ｍ−ＰＤＣＣＨが開始する時点を知ってこそ、ＰＤＳＣＨ／ＰＵＳＣＨが開始する時点を成功的に知ることができる。この場合、ＬＣ機器がＭ−ＰＤＣＣＨが送信されるサブフレームの区間を知らなくても、ＰＤＳＣＨの送信が開始されるサブフレーム位置を知ることができるという長所がある。
【０１４３】
この場合、Ｋの値は、固定されており、またはＭＩＢ、ＳＩＢ、またはＲＲＣシグナルのような上位階層シグナルを介してＬＣ機器に設定されることができる。このとき、Ｋの値は、常にＭ−ＰＤＣＣＨのバンドルの個数と同じく設定されることができる。即ち、Ｍ−ＰＤＣＣＨのバンドル送信が終わった後、次のサブフレームから続けてＰＤＳＣＨ／ＰＵＳＣＨのバンドルが送信されることができる。または、Ｍ−ＰＤＣＣＨのバンドルがＮ個のサブフレーム上で送信される時、Ｍ−ＰＤＣＣＨバンドルの送信が開始されるサブフレーム位置とＰＤＳＣＨ／ＰＵＳＣＨバンドルの送信が開始されるサブフレーム位置との差であるＫは、Ｎ−１に固定されている。即ち、Ｍ−ＰＤＣＣＨサブフレームのバンドルの送信が終わるサブフレームでＰＤＳＣＨ／ＰＵＳＣＨサブフレームのバンドルの送信が開始されることができる。
【０１４４】
または、ＬＣ機器は、Ｍ−ＰＤＣＣＨのバンドルを受信した場合、Ｇ１個のサブフレーム後にＭ−ＰＤＣＣＨ受信に対するＡ／Ｎ情報を基地局にアップリンクリソースを利用して送信することができる。それに対して、図１３を参照して説明すると、下記の通りである。
【０１４５】
図１３は、バンドルの送受信タイミングを示す例示図である。
【０１４６】
図１３を参照してわかるように、ＬＣ機器−特定的な（または、ＵＥ−ｓｐｅｃｉｆｉｃ）Ｍ−ＰＤＣＣＨのバンドルを受信した場合、またはＵＳＳ（ＵＥ−ｓｐｅｃｉｆｉｃ  ｓｅａｒｃｈ  ｓｐａｃｅ）を介してＭ−ＰＤＣＣＨのバンドルを受信した場合、ＬＣ機器は、Ｇ１個のサブフレーム後にＭ−ＰＤＣＣＨ受信に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）情報を基地局にアップリンクリソースを利用して送信することができる。このとき、例示的に、Ｇ１値は４であり、ＡＣＫ／ＮＡＣＫ情報は、Ａ個のアップリンクサブフレームのバンドルを介して送信されることができる。
【０１４７】
また、図１３を参照すると、ＬＣ機器からＭ−ＰＤＣＣＨに対するＡＣＫ／ＮＡＣＫ情報を受信した基地局は、該当ＡＣＫ／ＮＡＣＫ情報がＡＣＫである場合、ＡＣＫ／ＮＡＣＫサブフレームのバンドルを受信した後、Ｇ２サブフレーム後にＤ個のサブフレームのバンドルを介してＰＤＳＣＨを送信することができる。ＰＤＳＣＨのバンドルを受信したＬＣ機器は、ＰＤＳＣＨを全て受信した後、Ｇ３サブフレーム後にＰＤＳＣＨに対するＡＣＫ／ＮＡＣＫ情報をＡ２個のアップリンクサブフレームのバンドルを介して送信することができる。このとき、Ｇ１、Ｇ２、Ｇ３、Ａ、そしてＡ１の値は、各々、固定されており、またはＭＩＢ、ＳＩＢ、またはＲＲＣシグナルのような上位階層シグナルを介してＬＣ機器に設定されることができる。または、ＬＣ機器は、基地局にＰＵＳＣＨのバンドルを全て送信した後、Ｇ３サブフレーム以後のサブフレームからＡ２個のアップリンクサブフレームのバンドルを介してＰＵＳＣＨに対するＡＣＫ／ＮＡＣＫ情報を受信することができる。
【０１４８】
このとき、Ｇ１、Ｇ２、Ｇ３、Ａ、そしてＡ１の値は、各々、固定されており、またはＭＩＢ、ＳＩＢ、またはＲＲＣシグナルのような上位階層シグナルを介してＬＣ機器に設定されることができる。このとき、Ｎ、Ｄ、Ａ及びＡ２の値は、常に同じく設定されることができる。例示的に、Ｇ２値は４であり、Ｇ３値は、４またはＰＤＳＣＨ／ＰＵＳＣＨのバンドル送信が設定されていない場合と同じ値である。
【０１４９】
一方、以下、本明細書の開示の各内容を詳細に説明する。
【０１５０】
Ｉ．本明細書の第１の開示：ＰＤＳＣＨ、ＰＵＳＣＨ、ＰＵＣＣＨ（Ａ／Ｎ）の送信タイミング
【０１５１】
一般カバレッジが設定されたまたはカバレッジ増大（ＣＥ）が設定されたＬＣ機器の場合、交差−サブフレームスケジューリング（ｃｒｏｓｓ−ｓｕｂｆｒａｍｅ  ｓｃｈｅｄｕｌｉｎｇ）を使用することができる。ＬＣ機器は、同じ（セルフ）−サブフレームスケジューリング（または、ｓｅｌｆ−ｓｕｂｆｒａｍｅ  ｓｃｈｅｄｕｌｉｎｇ）もサポートすることができるが、交差−サブフレームスケジューリングが先に適用されると仮定し、同じ（セルフ）−サブフレームスケジューリングは、特別に設定された場合にのみ適用されると仮定することができる。または、同じ（セルフ）−サブフレームスケジューリングが基本に使われ、カバレッジ増大または繰り返し送信技法が使われる場合にのみ交差−サブフレームスケジューリングが使われると仮定することもできる。この場合、ＥＰＤＣＣＨの受信が終了されたサブフレームをサブフレーム＃ｎとする時、サブフレーム＃ｎ＋Ｋ１から対応するＰＤＳＣＨの受信が開始されることができる。また、ＥＰＤＣＣＨの受信が終了されたサブフレームをサブフレーム＃ｎとする時、サブフレーム＃ｎ＋Ｋ２から対応するＰＵＳＣＨの送信が開始されることができる。また、ＰＤＳＣＨの受信が終了されたサブフレームをサブフレーム＃ｎとする時、サブフレーム＃ｎ＋Ｋ３から該当ＰＤＳＣＨに対するＡＣＫ／ＮＡＣＫ情報を含めているＰＵＣＣＨの送信が開始されることができる。しかし、ＨＤ（ｈａｌｆ  ｄｕｐｌｅｘ）−ＦＤＤでアップリンクからダウンリンクへのスイッチング（ＵＬ  ｔｏ  ＤＬ  ｓｗｉｔｃｈｉｎｇ）、ダウンリンクからアップリンクへのスイッチング（ＤＬ  ｔｏ  ＵＬ  ｓｗｉｔｃｈｉｎｇ）のために必要な保護（ｇｕａｒｄ）サブフレームや、周波数（即ち、サブバンド）ホッピングのためにＲＦ部の調整（ｒｅ−ｔｕｎｉｎｇ）に必要な時間として使われるギャップ（ｇａｐ）サブフレーム、またはデータを受信することができないＴＤＤベースのスペシャルサブフレームなどではＰＤＳＣＨを受信することができない。また、ＰＤＳＣＨが受信されるＰＲＢがＰＢＣＨが受信されるＰＲＢと重なるようになる場合や、ＰＳＳ／ＳＳＳが受信されるＰＲＢと重なるようになる場合、ＰＤＳＣＨは、受信されない場合もある。または、ＰＤＳＣＨが受信されるべきサブフレームがＭＢＳＦＮサブフレームに設定される場合、ＰＤＳＣＨが受信されない場合もある。このようなサブフレームは、ダウンリンク受信には使われることができないが、必要なアップリンクとダウンリンクとの間のスイッチング、または、周波数再調整のための時間ギャップとして使われることができる。
【０１５２】
このような点を考慮する時、本節ではＭ−ＰＤＣＣＨを受信した後、ＰＤＳＣＨを受信するタイミング（Ｋ１）、Ｍ−ＰＤＣＣＨを受信した後、ＰＵＳＣＨを送信するタイミング（Ｋ２）、ＰＤＳＣＨを受信した後、ＰＵＣＣＨを送信するタイミング（Ｋ３）に対して提案する。
【０１５３】
Ｉ−１．ギャップ（ｇａｐ）サブフレーム／ギャップスロットに対する定義
【０１５４】
ギャップサブフレーム／ギャップスロットは、ＬＣ機器が周波数再調整またはＵＬ／ＤＬスイッチングのために必要とする時間を意味する。このとき、ＬＣ機器がいつでも周波数再調整またはＵＬ／ＤＬスイッチングをする場合、基地局とＬＣ機器との間にギャップサブフレーム／ギャップスロットの不一致が発生できる。このようなことを防止するために、本節ではギャップサブフレーム／ギャップスロットは、データを送受信するためにまたはデータを送信するために発生する直前サブフレーム／スロットに位置すると仮定することを提案する。例えば、基地局が他のサブバンド上のＰＤＳＣＨに対するダウンリンクスケジューリングをサブフレームｎでＬＣ機器に送信し、サブフレームｎ＋４でＰＤＳＣＨを送信すると、ＬＣ機器は、サブフレームｎ＋３で他のサブバンドへスイッチングを実行し、基地局もこれを知ると仮定することができることを意味する。これは、たとえ、ＬＣ機器がどんな理由でＰＤＳＣＨが受信されるサブバンドを既にモニタリングしているとしても、その事実をネットワークが知らない場合があるため（ただし、制御チャネルが送信されるサブバンドがＰＤＳＣＨが送信されるサブバンドにスイッチングされる場合は除外する）、ＬＣ機器が実際にスイッチングをしなくても、該当ギャップサブフレームは、そのままギャップサブフレームと見なす。このような動的ギャップは、ネットワークが判断するにギャップが必要な場合にのみ利用すると見なす。例えば、基地局が同じサブバンドでデータを送信する場合、二つのデータ間にギャップが必要であるという仮定をする必要はない。もし、ネットワークが予測することができないギャップがどんな理由で必要な場合（例えば、測定、ＣＳＳモニタリング、ページング、ＳＩＢ受信等）、このようなギャップサブフレームは、有効（ｖａｌｉｄ）サブフレームと見なす。即ち、ネットワーク立場ではこのようなギャップサブフレームを有効でないサブフレームと見なさずに、有効なサブフレームと認識して繰り返し送信またはタイミングに使われることができることを意味する。即ち、ネットワーク立場で、ＬＣ機器は、周波数再調整を直前サブフレームで実行すると仮定することができ、周波数再調整が必要でない場合はギャップサブフレームが存在しないと仮定することができる。
【０１５５】
例えば、ＬＣ機器が論理的なサブバンドをどんなホッピングパターンによってホッピングすると仮定する場合、このようなホッピングは、一定の周期に発生すると仮定することができる。例えば、Ｋ個サブフレーム毎にホッピングを実行するとする場合、Ｋ番目のサブフレームがホッピングのためのギャップサブフレームとして使われることを仮定すると、実際にホッピングを実行したことにかかわらず、Ｋ番目のサブフレームは、常にギャップサブフレームと仮定することを提案する。
【０１５６】
Ｉ−２．有効でない（Ｉｎｖａｌｉｄ）サブフレームに対する定義
【０１５７】
ギャップサブフレームと同様に、有効でないサブフレームも動的に決められ、または半固定的（ｓｅｍｉ−ｓｔａｔｉｃ）に決められると見なすことができる。動的に有効でないと決められるサブフレームは、ダウンリンクからアップリンクへのスイッチングまたはアップリンクからダウンリンクへのスイッチングのために必要なサブフレームを含むことができ、動的なギャップサブフレームも含むことができる。このとき、ギャップサブフレームも有効でないサブフレームに含まれることができる。
【０１５８】
動的なギャップサブフレームのうち、もし、ネットワークが知ることができないギャップサブフレームは、有効でないサブフレームと見なされずに、有効なサブフレームと見なされることができる。ネットワークが知ることができないギャップサブフレームとは、例えば、ＬＣ機器がセル共通的なチャネルを受信するために周波数を再調整する時間またはセル共通的なデータを受信するために周波数を再調整する時間に該当するサブフレームを意味する場合もある。セル共通的なチャネルまたはセル共通的なデータは、例えば、ＳＩＢ更新／ＰＢＣＨ更新／ランダムアクセス応答（ＲＡＲ）などを含むことができる。ネットワークが知ることができるギャップサブフレームとは、ネットワークがスケジュールを実行し、または指示して、ＬＣ機器が受信を予想する時に発生するギャップサブフレームを意味する。
【０１５９】
有効でないサブフレームは、動的に有効でないと見なされるサブフレームとネットワークの半固定的な設定（例えば、ＤＬ／ＵＬ設定）により有効でないと識別されるサブフレームも含むことができる。
【０１６０】
Ｉ−３．ＰＤＳＣＨのタイミング
【０１６１】
ＬＣ機器は、Ｍ−ＰＤＣＣＨを受信した後、特定の条件を満たすＫ個の有効サブフレーム以後に、対応ＰＤＳＣＨの送信が開始されると仮定することができる。ここで、ＰＤＳＣＨの送信に対して、Ｋの値は、２または３である。または、ＰＤＳＣＨの送信に対して、Ｋの値は、１である。
【０１６２】
例えば、基地局からＭ−ＰＤＣＣＨの送信がサブフレーム＃ｎに終了されると、サブフレーム＃ｎ以後のサブフレームのうち有効サブフレームがＫ個存在することが満たされる時まで、有効でない（ｎｏｎ−ｖａｌｉｄ）サブフレームがＸ個存在する場合、対応するＰＤＳＣＨは、基地局によりサブフレーム＃ｎ＋Ｘ＋Ｋから送信が開始されることができる。ここで、ＰＤＳＣＨの送信に対して、Ｋの値は、２または３である。または、ＰＤＳＣＨの送信に対して、Ｋの値は、１である。これに対して、図１４を参照して説明する。
【０１６３】
図１４ａ乃至図１４ｃは、ＰＤＳＣＨのタイミングの例を示す。
【０１６４】
例えば、図１４ａに示すように、Ｋが２である場合、Ｍ−ＰＤＣＣＨ送信終了サブフレーム直後に有効サブフレーム２個が存在すると、２番目の有効サブフレームで基地局によりＰＤＳＣＨの送信が行われることができる（開始されることができる）。
【０１６５】
それに対して、図１４ｂ及び図１４ｃに示すように、有効でないサブフレームが存在する場合、有効でないサブフレームを除いて有効なサブフレームが２個存在する時、そのときになって基地局によりＰＤＳＣＨの送信が行われることができる。
【０１６６】
Ｋ個のサブフレームには特定の条件を満たす有効なサブフレームのみが含まれることができる時、このような有効なサブフレームは、下記の通りである。このとき、有効なサブフレームは、下記の条件の全部または一部を満たすように定義されることができる。
【０１６７】
ｉ）周波数ホッピング（または、サブバンドホッピング）のためにまたは周波数再調整のためのギャップサブフレーム（または、スイッチングサブフレーム）として使われないサブフレームまたは再調整のためにネットワークによりギャップサブフレームに設定されないサブフレーム。このとき、交差−サブバンドスケジューリング（ｃｒｏｓｓ−ｓｕｂｂａｎｄ  ｓｃｈｅｄｕｌｉｎｇ）によって他のサブバンド上でＰＤＳＣＨを受信するために新しく生成すべきギャップサブフレームは、有効でないサブフレームに含まれない。
【０１６８】
ii）ＨＤ−ＦＤＤの場合、アップリンクからダウンリンクまたはダウンリンクからアップリンクへのスイッチングのために必要なギャップまたは保護（ｇｕａｒｄ）サブフレームとして使われないサブフレーム
【０１６９】
−例えば、ダウンリンクスケジューリングの場合、アップリンクからダウンリンクへのスイッチングのためにギャップサブフレームとして使われないサブフレームのみを意味する。
【０１７０】
−または、アップリンクスケジューリングの場合、ダウンリンクからアップリンクへのスイッチングのためにギャップサブフレームとして使われないサブフレームのみを意味する。
【０１７１】
iii）ＴＤＤの場合、ＵＬサブフレームでないサブフレーム
【０１７２】
iv）ＴＤＤの場合、スペシャルサブフレームでないサブフレームまたはＤｗＰＴＳの長さがｘより小さいまたは同じ場合に対してスペシャルサブフレームでないサブフレーム
【０１７３】
ｖ）ＴＤＤの場合、ＤＬサブフレームに設定されたサブフレーム
【０１７４】
vi）ＨＤ−ＦＤＤの場合、アップリンク送信のために使われないサブフレーム
【０１７５】
vii）セル−共通的なＰＤＳＣＨが送信されないサブフレームまたはＬＣ機器がセル−共通的なＰＤＳＣＨを受信すると期待しないサブフレームまたはＬＣ機器がセル−共通的なＰＤＳＣＨを受信しないサブフレーム
【０１７６】
viii）ＭＢＳＦＮサブフレームでないサブフレーム
【０１７７】
ix）ＬＣ機器がダウンリンクデータ及び／またはダウンリンク制御チャネルを受信することができるサブフレームに設定されたサブフレーム
【０１７８】
ｘ）Ｍ−ＰＤＣＣＨを受信した以後のサブフレームでないサブフレーム
【０１７９】
xi）基地局によりＰＳＳ／ＳＳＳ／ＰＢＣＨが送信されるＰＲＢ領域とＭ−ＰＤＣＣＨ及び／またはＰＤＳＣＨが送信されるＰＲＢリソースの領域が互いに一部または全部が重なる場合、ＰＳＳ／ＳＳＳ／ＰＢＣＨが送信されるサブフレームでないサブフレーム
【０１８０】
xii）ＰＳＳ／ＳＳＳ／ＰＢＣＨが送信されるＰＲＢ領域とＬＣ機器が動作するＭ−ＰＤＣＣＨ及び／またはＰＤＳＣＨが送信されるサブバンドに含まれるＰＲＢリソースの領域が互いに一部または全部が重なる場合、ＰＳＳ／ＳＳＳ／ＰＢＣＨが送信されるサブフレームでないサブフレーム
【０１８１】
即ち、Ｍ−ＰＤＣＣＨを受信した後、Ｋ番目の有効サブフレームで対応するＰＤＳＣＨの送信が基地局により行われることができる。（Ｋ＝１、２、または３）
【０１８２】
Ｉ−４．ＰＵＳＣＨのタイミング
【０１８３】
ＬＣ機器は、Ｍ−ＰＤＣＣＨを受信した後、特定の条件を満たすＫ個の有効サブフレーム以後に対応するＰＵＳＣＨの送信が基地局により開始されると仮定することができる。例えば、ＰＵＳＣＨの送信に対して、Ｋの値は、４である。
【０１８４】
基地局によるＭ−ＰＤＣＣＨの送信がサブフレーム＃ｎに終了されると、サブフレーム＃ｎ以後のサブフレームのうち有効サブフレームがＫ個を満たすまで有効でないサブフレームがＸ個存在する場合、対応するＰＵＳＣＨは、サブフレーム＃ｎ＋Ｘ＋Ｋから基地局により送信開始されることができる。ここで、ＰＵＳＣＨの送信に対して、Ｋの値は、４である。これに対して、図１５ａ及び図１５ｂを参照して説明する。
【０１８５】
図１５ａ及び図１５ｂは、ＰＵＳＣＨのタイミングに対する例示図である。
【０１８６】
図１５ａに示すように、Ｋが４である場合、Ｍ−ＰＤＣＣＨ終了サブフレーム直後に有効サブフレーム４個が存在すると、４番目の有効サブフレームでＬＣ機器がＰＵＳＣＨの送信を開始することができる。
【０１８７】
それに対して、図１５ｂに示すように、有効でないサブフレームが存在する場合、有効でないサブフレームを除いて有効なサブフレームが４個存在する時、そのときになって、ＬＣ機器は、ＰＵＳＣＨの送信を実行することができる。
【０１８８】
Ｋ個のサブフレームには特定の条件を満たす有効なサブフレームのみが含まれることができる時、このような有効なサブフレームは、下記の通りである。このとき、有効なサブフレームは、下記の条件の全部または一部を満たすように定義されることができる。
【０１８９】
ｉ）周波数ホッピング（または、サブバンドホッピング）のために周波数再調整のためのギャップサブフレーム（または、スイッチングサブフレーム）として使われないサブフレームまたは周波数再調整のためにネットワークがギャップサブフレームに設定したサブフレームでないサブフレーム。このとき、交差−サブバンドスケジューリングによって、ＰＤＳＣＨを受信するために新しく生成すべきギャップサブフレームは、有効でないサブフレームに含まれない。
【０１９０】
ii）ＨＤ−ＦＤＤの場合、アップリンクからダウンリンクへのスイッチングまたはダウンリンクからアップリンクへのスイッチングのためにギャップサブフレーム（または、保護サブフレーム）として使われないサブフレーム
【０１９１】
−例えば、ダウンリンクスケジューリングの場合、アップリンクからダウンリンクへのスイッチングのためにギャップサブフレームとして使われないサブフレームのみを意味する。
【０１９２】
−アップリンクスケジューリングの場合、ダウンリンクからアップリンクへのスイッチングのためにギャップサブフレームとして使われないサブフレームのみを意味する。
【０１９３】
iii）ＴＤＤの場合、ＤＬサブフレームでないサブフレーム
【０１９４】
iv）ＴＤＤの場合、スペシャルサブフレームでないサブフレーム
【０１９５】
ｖ）ＴＤＤの場合、ＵＬサブフレームであるサブフレーム
【０１９６】
vi）ＨＤ−ＦＤＤの場合、ダウンリンク送信のために使われないサブフレーム
【０１９７】
vii）セル−共通的なＰＤＳＣＨが受信されないサブフレームまたはＬＣ機器がセル−共通的なＰＤＳＣＨを受信すると期待しないサブフレームまたはＬＣ機器がセル−共通的なＰＤＳＣＨを受信しないサブフレーム
【０１９８】
viii）ＭＢＳＦＮサブフレームでないサブフレーム
【０１９９】
ix）ＬＣ機器がアップリンクデータチャネル及び／または制御チャネルを送信することができるサブフレームに設定されたサブフレーム
【０２００】
ｘ）基地局によりＰＳＳ／ＳＳＳ／ＰＢＣＨが送信されるＰＲＢ領域とＭ−ＰＤＣＣＨ及び／またはＰＤＳＣＨが送信されるＰＲＢリソースの領域が互いに一部または全部が重なる場合、ＰＳＳ／ＳＳＳ／ＰＢＣＨが送信されるサブフレームでないサブフレーム
【０２０１】
xi）基地局によりＰＳＳ／ＳＳＳ／ＰＢＣＨが送信されるＰＲＢ領域とＭ−ＰＤＣＣＨ及び／またはＰＤＳＣＨが送信されるサブバンドに含まれるＰＲＢリソースの領域が互いに一部または全部が重なる場合、ＰＳＳ／ＳＳＳ／ＰＢＣＨが送信されるサブフレームでないサブフレーム
【０２０２】
即ち、Ｍ−ＰＤＣＣＨを受信した後、Ｋ番目の有効サブフレームで対応するＰＤＳＣＨの受信が実行されることができる。（Ｋ＝４）
【０２０３】
一方、ＬＣ機器がアップリンクを送信することができないアップリンクサブフレームと同じ時間位置のダウンリンクサブフレームで、基地局は、アップリンクグラントを送信することができる場合、問題が発生できる。例えば、ダウンリンクサブフレーム＃ｎとダウンリンクサブフレームｎ＋１でアップリンクグラントが各々受信された時、アップリンクサブフレーム＃ｎ＋１がアップリンクとして有効でないサブフレームの場合、二つのアップリンクグラントに対する２個のＰＵＳＣＨが両方とも同じアップリンクサブフレームで送信されなければならないため、問題になることができる。これを解決するために下記のような方案を提案する。
【０２０４】
ｉ）（ＦＤＤの場合）アップリンクチャネル（例えば、ＰＵＳＣＨ、ＰＵＣＣＨ）を送信する時に考慮する有効サブフレームは、ダウンリンクチャネル（例えば、Ｍ−ＰＤＣＣＨ、ＰＤＳＣＨ、ＰＨＩＣＨ）を送信する時に考慮する有効サブフレームと同じである。
【０２０５】
ii）（ＦＤＤの場合）ダウンリンクチャネル（例えば、Ｍ−ＰＤＣＣＨ、ＰＤＳＣＨ、ＰＨＩＣＨ）を送信する時に考慮する有効サブフレームは、ＬＣ機器がアップリンクチャネル（例えば、ＰＵＳＣＨ、ＰＵＣＣＨ）を送信する時に考慮する有効サブフレームのサブセットである。
【０２０６】
iii）ダウンリンクサブバンドのスイッチングのためのギャップサブフレームとアップリンクサブバンドのスイッチングのためのギャップサブフレームは、互いに同じサブフレームである。
【０２０７】
iv）（ＦＤＤ環境で）有効でないアップリンクサブフレームではＬＣ機器がアップリンクｇｒａｎｔを受信しないことを提案する。
【０２０８】
ｖ）（ＦＤＤ環境で）アップリンク有効でないサブフレームではＬＣ機器がＭ−ＰＤＣＣＨを受信しないことを提案する。
【０２０９】
vi）（ＦＤＤ環境で）ＬＣ機器は、アップリンク有効でないサブフレームは常にｄｏｗｎｌｉｎｋも有効でないサブフレームと仮定することを提案する。
【０２１０】
vii）複数個のアップリンクグラントがスケジューリングするＰＵＳＣＨが同じサブフレームで送信される場合、ＬＣ機器は、最初に受信した（または、最後に受信した）アップリンクグラントのみが有効であると判断し、該当アップリンクグラントがスケジューリングするＰＵＳＣＨを送信することができる。残りのアップリンクグラントがスケジューリングするＰＵＳＣＨの送信は、放棄（ｄｒｏｐ）する。
【０２１１】
一方、Ｋは、ＴＤＤ  ＰＵＳＣＨタイミングによって決定されることができ、有効サブフレームは、ギャップサブフレームとして使われないサブフレームに設定することができ、または組み合わせを設定することができる。もし、端末がｎ＋１とｎ＋２または連続されたサブフレームでダウンリンクまたはアップリンク送信に対するまたはダウンリンクとアップリンクの組み合わせのスケジューリングを受けた時（該当ダウンリンク、アップリンクは、ＰＨＩＣＨ、ＰＵＣＣＨを含むことができる）、二つのサブバンドが互いに異なる場合、ｎ＋２のダウンリンクの受信またはアップリンクの送信を放棄（ｄｒｏｐ）することができる。または、ｎ＋２を遅延することができる。ただし、このような遅延は、ネットワークが明示的に設定した場合、またはダウンリンクである場合にのみ実行されることができる。
【０２１２】
Ｉ−５．ＰＵＣＣＨのタイミング
【０２１３】
ＬＣ機器は、ＰＤＳＣＨを受信した後、特定の条件を満たすＫ個の有効サブフレーム以後にＰＤＳＣＨに対するＡＣＫ／ＮＡＣＫ情報を含めている対応ＰＵＣＣＨの送信を開始することができると仮定することができる。ここで、ＰＵＣＣＨの送信に対して、Ｋの値は、４である。
【０２１４】
基地局によるＰＤＳＣＨの送信がサブフレーム＃ｎに終了されると、サブフレーム＃ｎ以後のサブフレームに対して有効なサブフレームがＫ個を満たすまで有効でないサブフレームがＸ個存在する場合、ＬＣ機器は、対応するＰＵＣＣＨの送信をサブフレーム＃ｎ＋Ｘ＋Ｋから開始することができる。ここで、ＰＵＣＣＨの送信に対して、Ｋの値は、４である。
【０２１５】
Ｋ個のサブフレームが特定の条件を満たす有効なサブフレームのみを含むことができるとする時、このような有効なサブフレームは、下記の通りである。このとき、有効なサブフレームは、下記の条件の全部または一部を満たすように定義されることができる。
【０２１６】
ｉ）周波数ホッピング（または、サブバンドホッピング）のために周波数再調整のためのギャップサブフレーム（または、スイッチングサブフレーム）として使われないサブフレームまたは周波数再調整のためにネットワークがギャップサブフレームに設定したサブフレームでないサブフレーム。このとき、交差−サブバンドスケジューリング（ｃｒｏｓｓ−ｓｕｂｂａｎｄ  ｓｃｈｅｄｕｌｉｎｇ）によって、他のサブバンドでＰＤＳＣＨを受信するために必要なギャップサブフレームは、有効でないサブフレームに含まれない。
【０２１７】
ii）ＨＤ−ＦＤＤの場合、アップリンクからダウンリンクへのスイッチングまたはダウンリンクからアップリンクへのスイッチングのために必要なギャップサブフレーム（または、保護サブフレーム）として使われないサブフレーム
【０２１８】
−これは、ダウンリンクスケジューリングの場合、アップリンクからダウンリンクへのスイッチングのために必要なギャップサブフレームとして使われないサブフレームのみを意味する。
【０２１９】
−または、アップリンクスケジューリングの場合、ダウンリンクからアップリンクへのスイッチングのために必要なギャップサブフレームとして使われないサブフレームのみを意味する。
【０２２０】
iii）ＴＤＤの場合、ＤＬサブフレームでないサブフレーム
【０２２１】
iv）ＴＤＤの場合、スペシャルサブフレームでないサブフレーム
【０２２２】
ｖ）ＴＤＤの場合、ＵＬサブフレームであるサブフレーム
【０２２３】
vi）ＨＤ−ＦＤＤの場合、ダウンリンク送信のために使われないサブフレーム
【０２２４】
vii）セル−共通的なＰＤＳＣＨが送信されないサブフレームまたはＬＣ機器がセル−共通的なＰＤＳＣＨを受信すると期待されないサブフレームまたはＬＣ機器がセル−共通的なＰＤＳＣＨを受信しないサブフレーム
【０２２５】
viii）ＭＢＳＦＮサブフレームでないサブフレーム
【０２２６】
ix）ＬＣ機器がアップリンクデータ及び／または制御チャネルを送信することができるサブフレームに設定されたサブフレーム
【０２２７】
ｘ）ＰＵＳＣＨ送信が行われないサブフレーム（ＰＵＳＣＨを介したＡＣＫ／ＮＡＣＫの送信が許容されない時）
【０２２８】
xi）基地局によりＰＳＳ／ＳＳＳ／ＰＢＣＨが送信されるＰＲＢ領域とＭ−ＰＤＣＣＨ及び／またはＰＤＳＣＨが送信されるＰＲＢリソースの領域が互いに一部または全部重なる場合、ＰＳＳ／ＳＳＳ／ＰＢＣＨが送信されるサブフレームでないサブフレーム
【０２２９】
xii）基地局によりＰＳＳ／ＳＳＳ／ＰＢＣＨが送信されるＰＲＢ領域とＭ−ＰＤＣＣＨ及び／またはＰＤＳＣＨが送信されるサブバンド内に含まれるＰＲＢリソースの領域が互いに一部または全部重なる場合、ＰＳＳ／ＳＳＳ／ＰＢＣＨが送信されるサブフレームでないサブフレーム
【０２３０】
即ち、ＬＣ機器は、ＰＤＳＣＨを受信した後、Ｋ番目の有効なサブフレームでＰＵＣＣＨの送信を実行することができる。（Ｋ＝４）
【０２３１】
Ｉ−６．ＰＨＩＣＨ（ｏｒ  ＡＣＫ／ＮＡＣＫ  ｆｏｒ  ＰＵＳＣＨ）
【０２３２】
ＬＣ機器は、ＰＵＳＣＨを送信した後、特定の条件を満たすＫ個の有効なサブフレーム以後に対応するＰＨＩＣＨ（ＰＵＳＣＨの送信に対するＡＣＫ／ＮＡＣＫ）が基地局により送信開始されると仮定することができる。ここで、ＰＨＩＣＨの送信に対して、Ｋの値は、４である。
【０２３３】
ＰＵＳＣＨの送信がサブフレーム＃ｎに終了されると、サブフレーム＃ｎ以後のサブフレームのうち有効なサブフレームがＫ個を満たすまで有効でないサブフレームがＸ個存在する場合、基地局は、対応するＰＨＩＣＨをサブフレーム＃ｎ＋Ｘ＋Ｋから送信開始することができる。ここで、ＰＨＩＣＨの送信に対して、Ｋの値は、４である。
【０２３４】
Ｋ個のサブフレームは、特定の条件を満たす有効なサブフレームのみを含まれることができるとする時、このような有効なサブフレームは、下記の通りである。このとき、有効なサブフレームは、下記の条件の全部または一部を満たすように定義されることができる。
【０２３５】
ｉ）周波数ホッピング（または、サブバンドホッピング）のために周波数再調整に必要なギャップサブフレーム（または、スイッチングサブフレーム）として使われないサブフレームまたは周波数再調整のためにネットワークがギャップサブフレームに設定したサブフレームでないサブフレーム。このとき、交差−サブバンドスケジューリングによって、他のサブバンドでＰＤＳＣＨを受信するために新しく生成すべきギャップサブフレームは、有効でないサブフレームに含まれない。
【０２３６】
ii）ＨＤ−ＦＤＤの場合、アップリンクからダウンリンクへのスイッチングまたはダウンリンクからアップリンクへのスイッチングのために必要なギャップサブフレーム（または、ギャップサブフレーム）として使われないサブフレーム
【０２３７】
−これは、ダウンリンクスケジューリングの場合、アップリンクからダウンリンクへのスイッチングのために必要なギャップサブフレームとして使われないサブフレームのみを意味する。
【０２３８】
−または、アップリンクスケジューリングの場合、ダウンリンクからアップリンクへのスイッチングのために必要なギャップサブフレームとして使われないサブフレームのみを意味する。
【０２３９】
iii）ＴＤＤの場合、ＵＬサブフレームでないサブフレーム
【０２４０】
iv）ＴＤＤの場合、スペシャルサブフレームでないサブフレームまたはＤｗＰＴＳの長さがｘより小さいまたは同じ場合に対してスペシャルサブフレームでないサブフレーム
【０２４１】
ｖ）ＴＤＤの場合、ＤＬサブフレームに設定されたサブフレーム
【０２４２】
vi）ＨＤ−ＦＤＤの場合、アップリンク送信のために使われないサブフレーム
【０２４３】
vii）セル−共通的なＰＤＳＣＨが送信されないサブフレームまたはＬＣ機器がセル−共通的なＰＤＳＣＨを受信すると期待されないサブフレームまたはＬＣ機器がセル−共通的なＰＤＳＣＨを受信しないサブフレーム
【０２４４】
viii）ＭＢＳＦＮサブフレームでないサブフレーム
【０２４５】
ix）ＭＴＣ  ＬＣ機器がダウンリンクデータ及び／または制御チャネルを受信することができるサブフレームに設定されたサブフレーム
【０２４６】
ｘ）Ｍ−ＰＤＣＣＨを受信した以後のサブフレームでないサブフレーム
【０２４７】
xi）基地局によりＰＳＳ／ＳＳＳ／ＰＢＣＨが送信されるＰＲＢ領域とＭ−ＰＤＣＣＨ及び／またはＰＤＳＣＨが送信されるＰＲＢリソースの領域が互いに一部または全部重なる場合、ＰＳＳ／ＳＳＳ／ＰＢＣＨが送信されるサブフレームでないサブフレーム
【０２４８】
xii）基地局によりＰＳＳ／ＳＳＳ／ＰＢＣＨが送信されるＰＲＢ領域とＭ−ＰＤＣＣＨ及び／またはＰＤＳＣＨが送信されるサブバンド内に含まれるＰＲＢリソースの領域が互いに一部または全部重なる場合、ＰＳＳ／ＳＳＳ／ＰＢＣＨが送信されるサブフレームでないサブフレーム
【０２４９】
即ち、ＬＣ機器がＰＵＳＣＨを送信した後、Ｋ番目の有効なサブフレームで、基地局により対応するＰＨＩＣＨの送信が行われることができる。（Ｋ＝４）
【０２５０】
一方、ＤＣＩを介して動的にサブバンドまたは周波数位置が変わるようになる場合、基地局によるＤＣＩ送信が終わるサブフレーム以後のサブフレーム（即ち、ＤＣＩ送信が終わり、対応するＰＤＳＣＨ（ＰＵＳＣＨ）が送信される間のサブフレーム）を、ＬＣ機器は、常に有効でないサブフレームと仮定し、モニタリングしない。または、ＬＣ機器は、該当サブフレームでスケジューリングのみが実行されないと仮定し、測定用途では使用することができる。また、該当サブフレームは、ＵＬスケジューリングにも使われない、またはダウンリンクスケジュールまたはデータの送信にも使われないと仮定することができる。
【０２５１】
II．本明細書の第２の開示：Ｍ−ＰＤＣＣＨ及びＰＤＳＣＨの繰り返し回数
【０２５２】
II−１．繰り返し回数をカウントする方法
【０２５３】
カバレッジ増大（ＣＥ）が設定されたＬＣ機器のために、基地局がＭ−ＰＤＣＣＨ／ＰＤＳＣＨ／ＰＨＩＣＨ（ＰＵＳＣＨのためのＡＣＫ／ＮＡＣＫ）の送信をＮ回繰り返すとする時、Ｍ−ＰＤＣＣＨ／ＰＤＳＣＨ／ＰＨＩＣＨ（ＰＵＳＣＨのためのＡＣＫ／ＮＡＣＫ）の送信は、Ｎ個の有効なサブフレームを介して行われることができる。このとき、有効なサブフレームは、Ｉ節でＰＤＳＣＨの送信のために定義した有効なサブフレームと同じである。
【０２５４】
または、Ｍ−ＰＤＣＣＨ／ＰＤＳＣＨ／ＰＨＩＣＨ（ＰＵＳＣＨのためのＡＣＫ／ＮＡＣＫ）の送信がサブフレーム＃ｎからサブフレーム＃ｎ＋Ｎ−１までの総Ｎ個サブフレーム内で行われることができる。このとき、サブフレーム＃ｎからサブフレーム＃ｎ＋Ｎ−１までのサブフレーム内の有効なサブフレームでのみＭ−ＰＤＣＣＨ／ＰＤＳＣＨ／ＰＨＩＣＨ（ＰＵＳＣＨのためのＡＣＫ／ＮＡＣＫ）の繰り返し送信が実行されることができる。
【０２５５】
他方、ＬＣ機器がＭ−ＰＤＣＣＨ／ＰＤＳＣＨを受信するサブフレームのうち、ＬＣ機器がＳＩＢを受信すべきサブフレームが存在する。このような場合、本節では基地局が該当リソースにはＳＩＢとＭ−ＰＤＣＣＨ／ＰＤＳＣＨのうちいずれか一つのみを送信するようにすることができる。このようにＳＩＢのリソースとＭ−ＰＤＣＣＨ／ＰＤＳＣＨのリソースが重なる場合、本節では下記のように基地局がＭ−ＰＤＣＣＨ／ＰＤＳＣＨを送信するようにし、併せて、ＬＣ機器が下記のように動作するように提案する。
【０２５６】
第１の提案として、基地局とＬＣ機器は、両方ともＳＩＢを送信するサブフレームは、Ｍ−ＰＤＣＣＨ／ＰＤＳＣＨの送信のために使われないと仮定することができる。同様に、ＬＣ機器は、ＳＩＢを受信するサブフレームは、Ｍ−ＰＤＣＣＨ／ＰＤＳＣＨの受信のために使われないと仮定することができる。また、このようにＳＩＢが送信されるサブフレームとは、ＳＩＢ１が送信されるサブフレームであって、標準規格またはＭＩＢの設定を介して決められたサブフレームリソース位置及びＳＩＢを介して知らせた他のＳＩＢの送信サブフレーム位置を意味する。このとき、このようなサブフレームは、Ｍ−ＰＤＣＣＨ／ＰＤＳＣＨの繰り返し送信の回数でカウントされることができる。即ち、ｎ番目のＭ−ＰＤＣＣＨ／ＰＤＳＣＨの送信（即ち、繰り返し送信）が行われるべきサブフレームでＳＩＢが送信される場合、次のサブフレームでｎ＋１番目のＭ−ＰＤＣＣＨ／ＰＤＳＣＨの送信（ｒｅｐｅｔｉｔｉｏｎ）が行われると仮定することができる。
【０２５７】
第２の提案として、基地局とＬＣ機器は、ＳＩＢが送信されるサブフレームがＭ−ＰＤＣＣＨ／ＰＤＳＣＨの送信のために使われないと仮定することができる。このように、ＳＩＢが送信されるサブフレームとは、ＳＩＢ１が送信されるサブフレームであって、標準規格またはＭＩＢ設定を介して決められたサブフレームリソース位置及びＳＩＢを介して知らせた他のＳＩＢの送信サブフレーム位置を意味する。このとき、このようなサブフレームは、Ｍ−ＰＤＣＣＨ／ＰＤＳＣＨの繰り返し回数でカウントされない。即ち、ｎ番目のＭ−ＰＤＣＣＨ／ＰＤＳＣＨ送信（ｒｅｐｅｔｉｔｉｏｎ）が実行されるべきサブフレームでＳＩＢが送信される場合、次のサブフレームでｎ番目のＭ−ＰＤＣＣＨ／ＰＤＳＣＨの送信（ｒｅｐｅｔｉｔｉｏｎ）が実行されると仮定することができる。
【０２５８】
第３の提案として、基地局とＬＣ機器は、ＳＩＢ１が送信されるサブフレームがＭ−ＰＤＣＣＨ／ＰＤＳＣＨの送信のために使われないと仮定することができる。このようなＳＩＢ１が送信されるサブフレームとは、ＳＩＢ１が送信されるサブフレームであって、標準規格またはＭＩＢ設定を介して決められたサブフレームリソース位置を意味する。このとき、このようなサブフレームは、Ｍ−ＰＤＣＣＨ／ＰＤＳＣＨの繰り返し回数でカウントされない。即ち、ｎ番目のＭ−ＰＤＣＣＨ／ＰＤＳＣＨ送信（ｒｅｐｅｔｉｔｉｏｎ）が行われるべきサブフレームでＳＩＢが送信される場合、次のサブフレームでｎ番目のＭ−ＰＤＣＣＨ／ＰＤＳＣＨの送信（ｒｅｐｅｔｉｔｉｏｎ）が行われると仮定することができる。しかし、ＳＩＢ１外に他のＳＩＢが送信されるサブフレームでは、該当サブフレームがＭ−ＰＤＣＣＨ／ＰＤＳＣＨの送信に使われないが、このようなサブフレームは、Ｍ−ＰＤＣＣＨ／ＰＤＳＣＨの繰り返し回数でカウントされることができる。即ち、ｎ番目のＭ−ＰＤＣＣＨ／ＰＤＳＣＨ送信（ｒｅｐｅｔｉｔｉｏｎ）が行われるべきサブフレームでＳＩＢが送信される場合、次のサブフレームでｎ＋１番目のＭ−ＰＤＣＣＨ／ＰＤＳＣＨの送信（ｒｅｐｅｔｉｔｉｏｎ）が行われると仮定することができる。
【０２５９】
第４の提案として、基地局とＬＣ機器は、ＳＩＢ１及びＳＩＢ２が送信されるサブフレームがＭ−ＰＤＣＣＨ／ＰＤＳＣＨの送信のために使われないと仮定することができる。ここで、ＳＩＢ１が送信されるサブフレームとは、ＳＩＢ１が送信されるサブフレームであって、標準規格またはＭＩＢ設定を介して決められたサブフレームリソース位置を意味する。また、ＳＩＢ２が送信されるサブフレームとは、ＳＩＢ１で知らせたＳＩＢ２送信に使われるサブフレームを意味する。このとき、このようなサブフレームは、Ｍ−ＰＤＣＣＨ／ＰＤＳＣＨの繰り返し回数でカウントされない。即ち、ｎ番目のＭ−ＰＤＣＣＨ／ＰＤＳＣＨ送信（ｒｅｐｅｔｉｔｉｏｎ）が行われるべきサブフレームでＳＩＢが送信される場合、次のサブフレームでｎ番目のＭ−ＰＤＣＣＨ／ＰＤＳＣＨの送信（ｒｅｐｅｔｉｔｉｏｎ）が行われると仮定することができる。一方、ＳＩＢ１、ＳＩＢ２外に他のＳＩＢが送信されるサブフレームでは、該当サブフレームがＭ−ＰＤＣＣＨ／ＰＤＳＣＨの送信に使われないが、このようなサブフレームは、Ｍ−ＰＤＣＣＨ／ＰＤＳＣＨの繰り返し回数でカウントされることができる。即ち、ｎ番目のＭ−ＰＤＣＣＨ／ＰＤＳＣＨ送信（ｒｅｐｅｔｉｔｉｏｎ）が行われるべきサブフレームでＳＩＢが送信される場合、次のサブフレームでｎ＋１番目のＭ−ＰＤＣＣＨ／ＰＤＳＣＨの送信（ｒｅｐｅｔｉｔｉｏｎ）が行われると仮定することができる。
【０２６０】
このとき、ＣＥモードによって、ＳＩＢの送信リソースとＭ−ＰＤＣＣＨ／ＰＤＳＣＨの送信リソースとの間に重複が発生した場合、Ｍ−ＰＤＣＣＨ／ＰＤＳＣＨ送信及びＬＣ機器の動作が変わることができる。したがって、ＣＥモードＡの場合とＣＥモードＢの場合、前記多様な提案のうち、互いに異なる提案が適用されることができる。例えば、ＣＥモードＡの場合は第２の提案のように、Ｍ−ＰＤＣＣＨ／ＰＤＳＣＨ送信及びＬＣ機器の動作が定義されるが、ＣＥモードＢの場合は第４の提案のように、Ｍ−ＰＤＣＣＨ／ＰＤＳＣＨの送信及びＬＣ機器の動作が定義されることができる。または、例えば、ＣＥモードＡの場合は基地局がＭ−ＰＤＣＣＨ／ＰＤＳＣＨとＳＩＢの衝突を避けるようにスケジューリングする可能性もあるため、第１の提案のように、Ｍ−ＰＤＣＣＨ／ＰＤＳＣＨ送信及びＬＣ機器の動作が定義されるが、ＣＥモードＢの場合はＭ−ＰＤＣＣＨ／ＰＤＳＣＨとＳＩＢの衝突を避けにくい状況を考慮して、第４の提案のように、Ｍ−ＰＤＣＣＨ／ＰＤＳＣＨの送信及びＬＣ機器の動作が定義されることができる。
【０２６１】
前述した内容は、ＨＤ−ＦＤＤの場合、ＰＵＣＣＨ、ＰＵＳＣＨ、及び／またはＰＲＡＣＨなどのアップリンクチャネルとＳＩＢの送信リソース衝突時、ＰＵＣＣＨ、ＰＵＳＣＨ、及び／またはＰＲＡＣＨの送信及びＬＣ機器の動作にも同じく適用されることができる。
【０２６２】
一方、ＣＲＳに基づく送信スキームがＰＤＳＣＨに適用される時、一部ＭＢＳＦＮサブフレームがＭＴＣ−ＳＩＢにより利用可能であると設定されても、ＰＤＳＣＨは、ＭＢＳＦＮサブフレームで送信されない。この場合、ＭＴＣ−ＳＩＢにより利用可能であると設定されたＭＢＳＦＮサブフレームは、ＰＤＳＣＨ繰り返し回数でカウントされない。
【０２６３】
結果的に、任意サブフレームがＭＴＣ−ＳＩＢによりダウンリンク送信に利用されることができると設定された場合、該当サブフレームがＭ−ＰＤＣＣＨ／ＰＤＳＣＨ送信のために利用されなかったとしても、該当サブフレームは、Ｍ−ＰＤＣＣＨ／ＰＤＳＣＨの繰り返し回数でカウントされるようにすることを提案する。また、任意サブフレームがＭＴＣ−ＳＩＢによりアップリンク送信に利用されることができると設定された場合、該当サブフレームがＰＵＣＣＨ／ＰＵＳＣＨ送信のために利用されなかったとしても、該当サブフレームは、ＰＵＣＣＨ／ＰＵＳＣＨの繰り返し回数でカウントされるようにすることを提案する。
【０２６４】
また、ＣＥが設定されたＬＣ機器のためにＰＵＳＣＨの繰り返し送信回数がＮ回とする時、ＰＵＳＣＨの送信は、Ｎ個の有効なサブフレームを介して行われることができる。このとき、有効なサブフレームは、Ｉ節でＰＵＳＣＨの送信のために定義した有効なサブフレームと同じである。または、ＰＵＳＣＨの送信がサブフレーム＃ｎからサブフレーム＃ｎ＋Ｎ−１までの総Ｎ個サブフレーム内で行われ、サブフレーム＃ｎからサブフレーム＃ｎ＋Ｎ−１までのサブフレーム内の有効なサブフレームでのみＰＵＳＣＨの繰り返し送信が行われることができる。
【０２６５】
また、ＣＥが設定されたＬＣ機器のためにＰＵＣＣＨの繰り返し送信回数がＮ回とする時、ＰＵＣＣＨの送信は、Ｎ個の有効なサブフレームを介して行われることができる。このとき、有効なサブフレームは、Ｉ節でＰＵＣＣＨの送信のために定義した有効なサブフレームと同じである。または、ＰＵＣＣＨの送信がサブフレーム＃ｎからサブフレーム＃ｎ＋Ｎ−１までの総Ｎ個サブフレーム内で行われ、サブフレーム＃ｎからサブフレーム＃ｎ＋Ｎ−１までのサブフレーム内の有効なサブフレームでのみＰＵＣＣＨの繰り返し送信されることができる。
【０２６６】
また、ＬＣ機器がＰＲＡＣＨを送信することができるＰＲＡＣＨリソースセットに含まれるサブフレームがＰＵＳＣＨ／ＰＵＣＣＨを送信する同じサブバンドの同じサブフレーム内で存在する。このとき、ＰＲＡＣＨリソースセットとは、ＬＣ機器がＰＲＡＣＨを送信することができるリソースのセットを意味し、このようなＰＲＡＣＨリソースセットは、カバレッジ増大水準（ＣＥ  ｌｅｖｅｌ）毎に独立的に設定されることができる。このような場合、互いに異なるＬＣ機器が送信するＰＵＳＣＨ／ＰＵＣＣＨとＰＲＡＣＨとの間の衝突が発生できる。したがって、ＳＩＢとＭ−ＰＤＣＣＨ／ＰＤＳＣＨの衝突を防止するために、本節では下記のようなＰＵＳＣＨ／ＰＵＣＣＨ送信及びＬＣ機器の動作を提案する。
【０２６７】
第１の提案として、全てのカバレッジ増大水準（ＣＥ  ｌｅｖｅｌ）のためのＰＲＡＣＨリソースセットに含まれるサブフレームは、ＰＵＳＣＨ／ＰＵＣＣＨの送信に使われない。このとき、このようなサブフレームは、ＰＵＳＣＨ／ＰＵＣＣＨの繰り返し回数でカウントされることができる。即ち、ＰＵＳＣＨ／ＰＵＣＣＨのｎ番目の繰り返し送信が実行されるべきサブフレームがＰＲＡＣＨリソースセット内に含まれる場合、次のサブフレームでＰＵＳＣＨ／ＰＵＣＣＨのｎ＋１番目の繰り返し送信を実行すると仮定することができる。
【０２６８】
第２の提案として、全てのカバレッジ増大水準（ＣＥ  ｌｅｖｅｌ）のためのＰＲＡＣＨリソースセットに含まれるサブフレームは、ＰＵＳＣＨ／ＰＵＣＣＨの送信に使われない。このとき、このようなサブフレームは、ＰＵＳＣＨ／ＰＵＣＣＨの繰り返し回数でカウントされない。即ち、ＰＵＳＣＨ／ＰＵＣＣＨのｎ番目の繰り返し送信が実行されるべきサブフレームがＰＲＡＣＨリソースセットに含まれる場合、次のサブフレームでＰＵＳＣＨ／ＰＵＣＣＨのｎ番目の繰り返し送信が実行されると仮定することができる。
【０２６９】
第３の提案として、ＬＣ機器に現在設定されたカバレッジ増大水準（ＣＥ  ｌｅｖｅｌ）のためのＰＲＡＣＨリソースセットに含まれるサブフレームは、ＰＵＳＣＨ／ＰＵＣＣＨの送信に使われない。このとき、このようなサブフレームは、ＰＵＳＣＨ／ＰＵＣＣＨの繰り返し回数でカウントされない。即ち、ＰＵＳＣＨ／ＰＵＣＣＨのｎ番目の繰り返し送信を実行すべきサブフレームがＬＣ機器に現在設定されたＣＥ  ｌｅｖｅｌのためのＰＲＡＣＨリソースセットに含まれる場合、ＬＣ機器は、次のサブフレームでＰＵＳＣＨ／ＰＵＣＣＨのｎ番目の繰り返し送信を実行すると仮定することができる。
【０２７０】
このとき、ＣＥモードによって、ＰＵＳＣＨ／ＰＵＣＣＨのリソースとＰＲＡＣＨリソースセットとの間にリソース重複が発生する場合、ＰＵＳＣＨ／ＰＵＣＣＨ送信及びＬＣ機器の動作が変わることができる。したがって、ＣＥモードＡの場合とＣＥモードＢの場合とに分け、多様な提案のうち、互いに異なる提案が適用されるようにすることができる。例えば、ＣＥモードＡの場合は基地局がスケジューリングを実行する時、ＰＵＳＣＨ／ＰＵＣＣＨリソースとＰＲＡＣＨリソースセットとの間のリソース衝突が発生しないようにスケジューリングする可能性が高いため、第１の提案のように、ＰＵＳＣＨ／ＰＵＣＣＨ送信及びＬＣ機器の動作を適用することができる。それに対して、ＣＥモードＢではＰＵＳＣＨ／ＰＵＣＣＨリソースとＰＲＡＣＨリソースセットとの間のリソース衝突を避けにくいため、第３の提案によるＰＵＳＣＨ／ＰＵＣＣＨの送信及びＬＣ機器の動作を適用することができる。
【０２７１】
前記内容は、ＨＤ−ＦＤＤの場合、Ｍ−ＰＤＣＣＨ、ＰＤＳＣＨなどのダウンリンクチャネルとＰＲＡＣＨリソースセットの送信リソース衝突時、Ｍ−ＰＤＣＣＨ、ＰＤＳＣＨの送信及びＬＣ機器の動作にも同じく適用されることができる。
【０２７２】
II−２．リダンダンシーバージョン（ｒｅｄｕｎｄａｎｃｙ  ｖｅｒｓｉｏｎ：ＲＶ）
【０２７３】
ＲＶは、ＨＡＲＱのために該当送信が再送信かを示すために使われる。
【０２７４】
図１６ａ及び図１６ｂは、繰り返し送信のためのサブフレームのバンドル内でＲＶ値の使用例を示す。
【０２７５】
図１６ａに示すように、サブフレームのバンドル内で繰り返し送信されるＰＤＳＣＨ／ＰＵＳＣＨのためのＲＶの値は４個または複数個のＲＶ値がサブフレーム毎に交互に使われることができる。
【０２７６】
または、図１６ｂに示すように、サブフレームのバンドル内で繰り返し送信されるＰＤＳＣＨ／ＰＵＳＣＨのためのＲＶ値は４個または複数個のＲＶ値がＲ個のサブフレーム毎に変更されて使われることができる。このとき、同じＲＶ値が適用されるサブフレームの個数をＲ個とする時、Ｒの値は、事前に定義されて固定された値であり、または基地局により設定される値である。
【０２７７】
有効でないサブフレームなどによりＰＤＳＣＨ／ＰＵＳＣＨの送信が非連続的なサブフレームを介して送信される場合、ＲＶ値を設定は、下記の通りである。
【０２７８】
第１のオプションによると、ＲＶ値は、有効でないサブフレームの有無にかかわらずサブフレームインデックスによってＲＶ値を変更／使用することができる。即ち、データの送信がサブフレーム＃ｎから開始される時、サブフレーム＃ｎ＋ｋで使われるＲＶの値は、ｋ値により決定されることができる。例えば、図１６ａに示すように、４個のＲＶ値がサブフレーム毎に交互に使われる場合、サブフレーム＃ｎ〜＃ｎ＋６のうちサブフレーム＃ｎ＋２が有効でないサブフレームの場合、サブフレーム＃ｎ、＃ｎ＋１、＃ｎ＋３、＃ｎ＋４、＃ｎ＋５、＃ｎ＋６のうちデータの送信に使われるＲＶ値は、ＲＶ１、ＲＶ２、ＲＶ４、ＲＶ１、ＲＶ２、ＲＶ３と同じである。
【０２７９】
第２のオプションによると、ＲＶ値は、実際データが送信されるサブフレームのみをカウントして決定されることができる。即ち、ｒ番目の繰り返し送信がサブフレーム＃ｎ＋ｋで実行される時、サブフレーム＃ｎ＋ｋで使われるＲＶの値は、ｒ値により決定されることができる。例えば、図１６ａに示すように、４個のＲＶ値がサブフレーム毎に交互に使われる場合、サブフレーム＃ｎ〜＃ｎ＋６のうちサブフレーム＃ｎ＋２でＰＤＳＣＨ／ＰＵＳＣＨが送信されない場合、サブフレーム＃ｎ、＃ｎ＋１、＃ｎ＋３、＃ｎ＋４、＃ｎ＋５、＃ｎ＋６で送信に使われるＲＶ値は、ＲＶ１、ＲＶ２、ＲＶ３、ＲＶ４、ＲＶ１、ＲＶ２と同じである。
【０２８０】
第３のオプションによると、ＰＤＳＣＨ／ＰＵＳＣＨが送信される間に、ＲＶ値は、基地局からＳＩＢを介して設定された有効なサブフレーム（または、利用可能なサブフレーム）をカウントして決定されることができる。このとき、有効なサブフレームで実際ＰＤＳＣＨ／ＰＵＳＣＨが送信されなくても、ＲＶ値の決定のために該当サブフレームはカウントされることができる。例えば、図１６ａに示すように、４個のＲＶ値がサブフレーム毎に交互に使われる場合、サブフレーム＃ｎ〜＃ｎ＋６のうちサブフレーム＃ｎ＋２が有効でないサブフレームの場合、サブフレーム＃ｎ、＃ｎ＋１、＃ｎ＋３、＃ｎ＋４、＃ｎ＋５、＃ｎ＋６で送信に使われるＲＶ値は、ＲＶ１、ＲＶ２、ＲＶ３、ＲＶ４、ＲＶ１、ＲＶ２と同じである。
【０２８１】
III．本明細書の第３の開示：交差−サブフレームスケジューリングを考慮したサブバンド指示
【０２８２】
連続的なサブフレームを介して送信されたＤＬグラント（または、ＵＬグラント）がスケジューリングしたＰＤＳＣＨ（または、ＰＵＳＣＨ）が送信される周波数（即ち、サブバンド）位置が各々異なってＬＣ機器がＰＤＳＣＨを受信（または、ＰＵＳＣＨを送信）するのに複雑度が増加し、または技術的な曖昧性が発生する状況を防止するために、次のような内容を提案する。これは、特に、ＤＣＩを介して全体システム帯域内でＰＤＳＣＨ（または、ＰＵＳＣＨ）が送信されるＰＲＢの位置を柔軟に指示する場合、またはＰＤＳＣＨ（または、ＰＵＳＣＨ）のためのサブバンドの位置をＤＣＩを介して指示する場合に適用されることができる。
【０２８３】
基地局が第１のＤＬグラント（例えば、ＤＬグラントＡ）を送信し、対応する第１のＰＤＳＣＨ（例えば、ＰＤＳＣＨ  Ａ）を送信する間に送信される第２のＤＬグラントは、第１のＰＤＳＣＨ（ＰＤＳＣＨ  Ａ）が送信されるサブバンドと同じサブバンドで第２のＰＤＳＣＨ（ＰＤＳＣＨ  Ｂ）が送信されるように（周波数ホッピングまたはサブバンドスイッチングを実行しないように）するために、同じサブバンドを指示することができる。
【０２８４】
または、基地局が第１のＤＬグラント（即ち、ＤＬグラントＡ）を送信し、対応する第１のＰＤＳＣＨ（即ち、ＰＤＳＣＨ  Ａ）を送信する間に送信される第２のＤＬグラント（即ち、ＤＬグラントＢ）は、対応する第２のＰＤＳＣＨ（即ち、ＰＤＳＣＨ  Ｂ）が送信されるサブバンドを指示しない。このとき、ＬＣ機器は、第１のＤＬグラント（即ち、ＤＬグラントＡ）で指示したサブバンドで第２のＰＤＳＣＨ（即ち、ＰＤＳＣＨ  Ｂ）が基地局により送信されると仮定することができる。
【０２８５】
一方、基地局が第１のＵＬグラント（即ち、ＵＬグラントＡ）を送信し、ＬＣ機器が対応する第２のＰＵＳＣＨ（即ち、ＰＵＳＣＨ  Ａ）を送信する間に、基地局が送信する第２のＵＬグラント（即ち、ＵＬグラントＢ）は、第１のＰＵＳＣＨと同じサブバンドで第２のＰＵＳＣＨが送信されるように（即ち、ＬＣ機器が周波数ホッピングまたはサブバンドスイッチングを実行しないように）するために、同じサブバンドを指示することができる。または、基地局が第１のＵＬグラント（即ち、ＵＬグラントＡ）を送信し、ＬＣ機器は、対応する第１のＰＵＳＣＨ（即ち、ＰＵＳＣＨ  Ａ）を送信する間に、基地局が送信する第２のＵＬグラント（即ち、ＵＬグラントＢ）は、対応する第２のＰＵＳＣＨ（即ち、ＰＵＳＣＨ  Ｂ）のためのサブバンドを指示しない。このとき、ＬＣ機器は、第１のＵＬグラント（ＵＬグラントＡ）で指示したサブバンドで第２のＰＵＳＣＨ（即ち、ＰＵＳＣＨ  Ｂ）を送信しなければならないと仮定することができる。
【０２８６】
IV．本明細書の第４の開示：多重（ｍｕｌｔｉｐｌｅ）ＨＡＲＱ動作サポート
【０２８７】
もし、ＬＣ機器が持続的に交差−サブバンドスケジューリング（または、交差−搬送波スケジューリング）を受信すると、次のような状況でタイミングに問題が発生されることができる。例えば、第１のサブバンドから二つのダウンリンク連続にＰＤＳＣＨを他の第２のサブバンドにスケジューリングした場合、有効なダウンリンクのみカウントしてもダウンリンクスケジューリングを確かに受けたかまたは受けていないかによって問題が発生することができる。このような問題を解決するために、ＤＣＩ内のＤＡＩのようなフィールドを活用することができる。
【０２８８】
図１７は、交差−サブバンドスケジューリングでＤＣＩ内のＤＡＩを活用する例を示す。
【０２８９】
前述した問題を解決するために、スケジューリング時にＤＡＩのようなフィールドを使用してｎ＋Ｘ＋ｋ＋ＤＡＩ（または、ｎ＋ｋ＋ＤＡＩ）にＰＤＳＣＨがスケジューリングされることをあらかじめ指定し、またはＤＡＩが現在まで新しいＨＡＲＱプロセスが同時にいくつスケジューリングされたか、または連続的にいくつスケジューリングされたかを知らせる方法も考慮することができる。
【０２９０】
Ｖ．本明細書の第５の開示：交差−サブバンドスケジューリング
【０２９１】
基地局は、ＰＤＳＣＨまたはＰＵＳＣＨのようなデータチャネルを交差−サブバンドスケジューリングをすることができる。これに対して、図１８を参照して説明する。
【０２９２】
図１８は、交差−サブバンドスケジューリングの例を示す。
【０２９３】
図１８に示すように、基地局は、Ｍ−ＰＤＣＣＨのような制御チャネルを介してスケジューリングを実行する時、他のサブバンド上のＰＤＳＣＨまたはＰＵＳＣＨをスケジューリングすることができる。例えば、制御チャネルＣｍがスケジューリングするデータチャネルをＤｍとする時、Ｃ１は、同じサブバンドに送信されるＤ１をスケジューリングし、Ｃ２は、異なるサブバンドに送信されるＤ２をスケジューリングすることができる。このとき、ＬＣ機器は、Ｄ１を受信するためにはサブバンドスイッチングを実行しないため、Ｄ１の全サブフレームをギャップサブフレームとして使用しないが、Ｄ２を受信するためにはサブバンドスイッチングを実行しなければならないため、Ｄ２の全サブフレームをギャップサブフレームとして使用する。このとき、ギャップサブフレームは、他のデータチャネル／制御チャネルを受信することができない有効でないサブフレームになることができる。
【０２９４】
本節では交差−サブバンドスケジューリングを実行する場合、二つのＰＤＳＣＨの衝突を防止／解決するための方法に対して提案する。本節ではダウンリンクグラントと対応するＰＤＳＣＨを中心に説明するが、アップリンクグラントと対応するＰＵＳＣＨと、ＰＵＳＣＨの送信と対応するＨＡＲＱ  ＡＣＫ／ＮＡＣＫを含むＰＨＩＣＨと、そしてＰＤＳＣＨの送信と対応するＨＡＲＱ  ＡＣＫ／ＮＡＣＫを含むＰＵＣＣＨと、に対しても同じ思想が適用されることができる。
【０２９５】
Ｖ−１．固定タイミング
【０２９６】
ＬＣ機器がサブフレーム＃ｎで制御チャネル（ダウンリンクグラント）を受信すると、ＬＣ機器は、サブフレーム＃ｎ＋Ｋ（例えば、Ｋ＝２）で対応するＰＤＳＣＨの受信を実行することができる。
【０２９７】
図１９は、同じ（セルフ）−サブバンドスケジューリングの例を示す。
【０２９８】
図１９に示すように、同じ（セルフ）−サブバンドスケジューリングを実行した場合、制御チャネル（ダウンリンクグラント）Ｃ２をサブフレーム＃ｎで受信したが、Ｄ２を受信すべきサブフレーム＃ｎ＋２が有効でないサブフレームに指定され、または有効なサブフレームに指定されなくて有効でないサブフレームと見なされることができる。ＬＣ機器がダウンリンクグラントをサブフレーム＃ｎで受信したが、サブフレーム＃ｎ＋２が有効でないサブフレームに指定され、または有効なサブフレームに指定されなくて有効でないサブフレームと見なされる場合、ＬＣ機器は、対応するＰＤＳＣＨの受信を放棄（ｄｒｏｐ）し、該当ＰＤＳＣＨの受信を実行しない。それに対して、サブフレーム＃ｎ＋１で他の制御チャネルＣ３が送信された場合、サブフレーム＃ｎ＋３が有効でないサブフレームでないため、ＬＣ機器は、サブフレーム＃ｎ＋２ではＤ２を受信しないが、サブフレーム＃ｎ＋３ではＤ３を受信することができる。
【０２９９】
一方、Ｉ−１節で説明したように、ギャップサブフレームは、有効サブフレームと見なされるが、Ｉ−２節で説明したように、有効でないサブフレームのように取り扱うことができる。したがって、このようなギャップサブフレームでの動作に対して、図２０ａ及び図２０ｂを参照して説明する。
【０３００】
図２０ａは、ギャップサブフレーム上でＬＣ機器のＰＤＳＣＨ受信動作を示す。
【０３０１】
まず、ＬＣ機器がカバレッジ増大（ＣＥ）が設定された場合、Ｍ−ＰＤＣＣＨが繰り返されるバンドルを複数のサブフレーム上で受信する。
【０３０２】
そして、ＬＣ機器は、Ｍ−ＰＤＣＣＨに基づいてＰＤＳＣＨを繰り返し受信するサブフレームを決定する。
【０３０３】
ＬＣ機器は、決定されたサブフレームのうちギャップサブフレームが存在するかどうかを判断する。
【０３０４】
その後、ＬＣ機器は、ギャップサブフレームでＰＤＳＣＨの受信を放棄することができる。
【０３０５】
一方、II−１節で、ＰＤＳＣＨの繰り返しがＮ個とする時、Ｎは、有効なサブフレームの個数を意味すると説明した。したがって、受信が放棄されるギャップサブフレームが有効でないサブフレームのように取り扱うとしても、ギャップサブフレームが有効サブフレームに指定されている場合は、ギャップサブフレームは、繰り返し回数Ｎでカウントされることができる。
【０３０６】
前述したように、このような内容は、ＰＵＳＣＨの送信にも適用されることができる。これに対して、図２０ｂを参照して説明すると、下記の通りである。
【０３０７】
図２０ｂは、ギャップサブフレーム上でＬＣ機器のＰＵＳＣＨ送信動作を示す。
【０３０８】
まず、ＬＣ機器がカバレッジ増大（ＣＥ）が設定された場合、Ｍ−ＰＤＣＣＨが繰り返されるバンドルを複数のサブフレーム上で受信する。
【０３０９】
そして、ＬＣ機器は、Ｍ−ＰＤＣＣＨに基づいてＰＵＳＣＨを繰り返し送信するサブフレームを決定する。
【０３１０】
ＬＣ機器は、決定されたサブフレームのうちギャップサブフレームが存在するかどうかを判断する。
【０３１１】
その後、ＬＣ機器は、ギャップサブフレームでＰＵＳＣＨの送信を放棄することができる。
【０３１２】
一方、II−１節で、ＰＵＳＣＨの繰り返しがＮ個とする時、Ｎは、有効なサブフレームの個数を意味すると説明した。したがって、送信が放棄されるギャップサブフレームが有効でないサブフレームのように取り扱うとしても、ギャップサブフレームが有効サブフレームに指定されている場合は、ギャップサブフレームは、繰り返し回数Ｎでカウントされることができる。
【０３１３】
図２１ａ及び図２１ｂは、交差−サブバンドスケジューリングの例を示す。
【０３１４】
一方、交差−サブバンドスケジューリングを考慮する時、図２１ａに示すように、サブフレーム＃ｎで制御チャネルＣ２を受信し、サブフレーム＃ｎ＋２でＰＤＳＣＨ  Ｄ２を受信しようとしたが、該当サブフレームがサブフレーム＃２で有効でないサブフレームに指定された場合がある。この場合、前記のように、ダウンリンクグラントをサブフレーム＃ｎで受信したが、サブフレーム＃ｎ＋２が有効でないサブフレームに設定された場合、ＬＣ機器は、該当対応するＰＤＳＣＨの受信を放棄（ｄｒｏｐ）し、該当ＰＤＳＣＨの受信を実行しない。
【０３１５】
他の例として、図２１ｂに示すように、基地局がサブフレーム＃ｎでダウンリンクグラントＣ１を送信し、Ｃ１は、同じ（セルフ）−サブバンドスケジューリングを実行した場合、ＬＣ機器は、サブバンドスイッチングなくサブフレーム＃ｎ＋２で対応するＰＤＳＣＨであるＤ２を受信することができる。この場合、ＬＣ機器は、サブフレーム＃ｎ＋１で他のダウンリンクグラントＣ２を受信することができる。このとき、ＬＣ機器は、サブフレーム＃ｎ＋２でＰＤＳＣＨ  Ｄ１を受信し、サブフレーム＃ｎ＋３でＰＤＳＣＨ  Ｄ２を受信しなければならない。その場合、Ｄ１の受信サブフレームとＤ２の受信サブフレームとの間にサブバンドスイッチングを実行するためのギャップサブフレームを設定することができない問題が発生する。このような場合、ＬＣ機器の動作またはこのような場合を防止するための方法として下記のような方法がある。
【０３１６】
ｉ）この場合、ＬＣ機器は、まず、スケジューリングされたＤ１の受信を優先してサブフレーム＃ｎ＋２でＤ１を受信し、サブフレーム＃ｎ＋３でＤ２の受信を放棄（ｄｒｏｐ）することで、該当ＰＤＳＣＨの受信を実行しない。または、ＬＣ機器は、最新にスケジューリングされたＤ２の受信を優先してサブフレーム＃ｎ＋２をギャップサブフレームとして使用してサブバンドスイッチングを実行して、サブフレーム＃ｎ＋３でＤ２の受信を実行することができる。
【０３１７】
ii）基地局がダウンリンクグラントを送って、対応するデータチャネルを送信する前までは次のダウンリンクグラントを送信しない（例えば、Ｎｕｍｂｅｒ  ｏｆ  ＨＡＲＱ  ｐｒｏｃｅｓｓ＝１）
【０３１８】
iii）基地局がダウンリンクグラントＤ１を送って、対応するデータチャネルＤ１を送信する以前に送信するダウンリンクグラントは、データチャネルＤ１が送信されるサブバンドと同じサブバンドでのみＰＤＳＣＨをスケジューリングすることができる。
【０３１９】
Ｖ−２．遅延タイミング（１番目に有効なサブフレーム）
【０３２０】
ＬＣ機器がサブフレーム＃ｎで制御チャネル（ダウンリンクグラント）を受信すると、ＬＣ機器は、サブフレーム＃ｎ＋Ｋ（例えば、Ｋ＝２）以後のサブフレームのうち１番目に有効なサブフレームで対応するＰＤＳＣＨの受信を実行することができる。このとき、交差−サブバンドスケジューリングによって、ＰＤＳＣＨを受信するために新しく生成すべきギャップサブフレームは、有効でないサブフレームに含まれない。
【０３２１】
図２２は、１番目の有効なサブフレーム上でＰＤＳＣＨを受信する例を示す。
【０３２２】
図２２を参照してわかるように、ＬＣ機器がサブフレーム＃ｎでダウンリンクグラントＣ１を受信し、サブフレーム＃ｎ＋２及び＃ｎ＋３が有効でないサブフレームである場合、サブフレーム＃ｎ＋２以後、１番目に有効なサブフレームが示すサブフレーム＃ｎ＋４でＰＤＳＣＨ  Ｄ１を受信することができる。
【０３２３】
図２３ａ及び図２３ｂは、１番目の有効なサブフレーム上でＰＤＳＣＨを受信する他の例を示す。
【０３２４】
図２３ａを参照してわかるように、交差−サブバンドスケジューリングが使われる場合、サブバンド＃１でｃｏｎｔｒｏｌ  ｃｈａｎｎｅｌが送信され、対応するＰＤＳＣＨが送信されるサブバンドがサブバンド＃２である場合、ＬＣ機器は、ｃｏｎｔｒｏｌ  ｃｈａｎｎｅｌを受信したサブバンドを基準にしてＰＤＳＣＨを受信するサブフレームの位置を判断することができる。しかし、この場合、サブバンド＃１では有効なサブフレームが存在してＰＤＳＣＨを受信することができると判断したサブフレームが、サブバンド＃２では有効でないサブフレームになってＰＤＳＣＨを受信することができない場合もある。この場合、ＬＣ機器は、下記のように実行することができる。
【０３２５】
ダウンリンクグラントが受信されたサブバンドを基準にしてＰＤＳＣＨを受信することができると判断したサブフレームが、実際ＰＤＳＣＨを受信すべきサブバンドでは有効でないサブフレームになってＰＤＳＣＨを受信することができない場合、ＬＣ機器は、該当ＰＤＳＣＨの受信を放棄（ｄｒｏｐ）して該当ＰＤＳＣＨの受信を実行しない。
【０３２６】
交差−サブバンドスケジューリングを実行する場合、図２３ａに示すように、サブバンド＃１で制御チャネルが送信され、対応するＰＤＳＣＨが送信されるサブバンドがサブバンド＃２である場合、ＬＣ機器は、データチャネルを受信するサブバンドを基準にして有効でないサブフレームを考慮することができる。例えば、図２３ａに示すように、サブフレーム＃ｎでダウンリンクグラントを受信した場合、サブバンド＃１ではサブフレーム＃ｎ＋２が有効でないサブフレームであるとしても、ＰＤＳＣＨを受信するサブバンド＃２は有効なサブフレームであるため、該当サブフレームでＰＤＳＣＨの受信を実行することができる。
【０３２７】
一方、図２３ｂに示すように、サブフレーム＃ｎでダウンリンクグラントを受信した場合、サブバンド＃２でサブフレーム＃ｎ＋２が有効でないサブフレームであるため、以後最も近い有効なサブフレームであるサブフレーム＃ｎ＋３で対応するＰＤＳＣＨを受信することができる。
【０３２８】
図２４ａ乃至図２４ｃは、１番目の有効なサブフレーム上でＰＤＳＣＨを受信する他の例を示す。
【０３２９】
ＬＣ機器がデータチャネルを受信するサブバンドを基準にして有効でないサブフレームを考慮する場合（ＰＤＳＣＨを受信するサブバンドを決定する場合）、図２４ａ及び図２４ｂに示すように、互いに異なるサブフレームで受信された二つのダウンリンクグラントＣ１及びＣ２がスケジューリングしたＰＤＳＣＨを受信すべきサブフレームが互いに同じサブフレームになる問題（即ち、サブフレームが重複する問題）が発生できる。または、図２４ｃに示すように、互いに異なるサブフレームで受信した二つのダウンリンクグラントＣ１及びＣ２がスケジューリングしたＰＤＳＣＨを受信すべきサブフレームが互いに異なるサブバンドに位置し、そして、連続的な二つのサブフレームを介して受信しなければならない。この場合、サブバンドをスイッチングするギャップ−サブフレーム（または、保護サブフレーム）を生成することができない。このような場合、ＬＣ機器の動作またはこのような場合を防止するための方法として下記のような方法がある。
【０３３０】
ｉ）ＬＣ機器は、まず、スケジューリングされた第１のＰＤＳＣＨ（例えば、Ｄ１）の受信を優先してＤ１を受信し、第２のＰＤＳＣＨ（例えば、Ｄ２）の受信は放棄（ｄｒｏｐ）することで、該当ＰＤＳＣＨの受信を実行しない。または、ＬＣ機器は、最新にスケジューリングされた第２のＰＤＳＣＨ（例えば、Ｄ２）の受信を優先して第１のＰＤＳＣＨ（例えば、Ｄ１）の受信を放棄（ｄｒｏｐ）し、Ｄ２が受信される以前サブフレームをギャップ（ｇａｐ）サブフレームとして使用してサブバンドスイッチングを実行して、Ｄ２の受信を実行することができる。
【０３３１】
ii）基地局がＬＣ機器にダウンリンクグラントを送信し、対応するデータチャネル（即ち、ＰＤＳＣＨ）を送信する前までは、次のダウンリンクグラントを送信しない（例えば、Ｎｕｍｂｅｒ  ｏｆ  ＨＡＲＱ  ｐｒｏｃｅｓｓ＝１）。
【０３３２】
iii）基地局が第１のダウンリンクグラントを送って、対応する第１のＰＤＳＣＨを送信する以前に送信する第２のダウンリンクグラントは、第１のＰＤＳＣＨのサブバンドと同じサブバンド上でのみ第２のＰＤＳＣＨをスケジューリングすることができる。
【０３３３】
ＬＣ機器は、ＰＤＳＣＨを受信するサブバンドを基準にしてサブフレーム位置を判断することができる。しかし、交差−サブバンドスケジューリングが使われる場合、互いに異なるサブバンドで受信される制御チャネルは、互いに同じサブバンド上のＰＤＳＣＨをスケジューリングすることができる。例えば、まず、基地局がサブバンド＃１で制御チャネルＣ１を送信した後、サブバンド＃２で制御チャネルＣ２を送信したが、同じサブフレームでＰＤＳＣＨ  Ｄ１とＤ２を送信すべき状況が発生できる。このような状況が発生することを防止するために、互いに異なるサブバンドで送信される制御チャネルが互いに同じサブバンド上のデータをスケジューリングしないようにすることができる。
【０３３４】
Ｖ−３．遅延タイミング（Ｋ番目の有効なサブフレーム）
【０３３５】
ＬＣ機器がサブフレーム＃ｎで制御チャネル（ダウンリンクグラント）を受信すると、サブフレーム＃ｎ以後のサブフレームのうちＫ番目の有効なサブフレーム（例えば、Ｋ＝２）でＰＤＳＣＨの受信を実行することができる。このとき、交差−サブバンドスケジューリングが適用される場合、ＬＣ機器がＰＤＳＣＨを受信するために新しく生成すべきギャップサブフレームは、有効でないサブフレームに含まれない。
【０３３６】
交差−サブバンドスケジューリングが適用される場合、基地局は、サブバンド＃１で制御チャネルを送信したとしても、対応するＰＤＳＣＨをサブバンド＃２で送信することができる。この場合、ＬＣ機器は、制御チャネルを受信したサブバンドを基準にしてＰＤＳＣＨを受信するサブフレームの位置を判断することができる。しかし、この場合、制御チャネルを受信したサブバンド＃１では有効なサブフレームが存在してＰＤＳＣＨを受信することができると判断したが、サブバンド＃２では該当サブフレームが有効でないサブフレームになって、ＬＣ機器がＰＤＳＣＨを受信することができない場合もある。この場合、ＬＣ機器は、下記のように実行することができる。
【０３３７】
ダウンリンクグラントが受信されたサブバンド＃１を基準にしてＰＤＳＣＨを受信することができると判断したサブフレームが、実際ＰＤＳＣＨを受信すべきサブバンド＃２では有効でないサブフレームになってＰＤＳＣＨを受信することができない場合、ＬＣ機器は、該当ＰＤＳＣＨの受信を放棄（ｄｒｏｐ）して該当ＰＤＳＣＨの受信を実行しない。
【０３３８】
その代案として、サブバンド＃１で制御チャネルが受信され、対応するＰＤＳＣＨは、サブバンド＃２で受信される場合、ＬＣ機器は、ＰＤＳＣＨを受信するサブバンド＃２を基準にしてＰＤＳＣＨを受信するサブフレームの位置を判断することができる。
【０３３９】
図２５ａ及び図２５ｂは、Ｋ番目の有効なサブフレーム上でＰＤＳＣＨを受信する例を示す。
【０３４０】
ＬＣ機器がデータチャネルを受信するサブバンドを基準にして有効でないサブフレームを考慮する場合（ＰＤＳＣＨを受信するサブバンドを決定する場合）、図２５ａに示すように、互いに異なるサブフレームで受信した二つのダウンリンクグラントＣ１及びＣ２が各々スケジューリングしたＰＤＳＣＨを受信すべきサブフレームが互いに重複する問題が発生できる。または、図２５ｂに示すように、互いに異なるサブフレームで各々受信した二つのダウンリンクグラントＣ１及びＣ２は、連続的な二つのサブフレーム上の互いに異なるサブバンド内のＰＤＳＣＨをスケジューリングすることができる。この場合、サブバンドをスイッチングするギャップ−サブフレーム（または、保護サブフレーム）を生成することができない。このような場合、ＬＣ機器の動作またはこのような場合を防止するための方法として下記のような方法がある。
【０３４１】
ｉ）ＬＣ機器は、まず、スケジューリングされた第１のＰＤＳＣＨ（例えば、Ｄ１）の受信を優先してＤ１を受信し、第２のＰＤＳＣＨ（例えば、Ｄ２）の受信は放棄（ｄｒｏｐ）することで、Ｄ２の受信を実行しない。または、ＬＣ機器は、最新にスケジューリングされた第２のＰＤＳＣＨ（例えば、Ｄ２）の受信を優先して第１のＰＤＳＣＨ（例えば、Ｄ１）の受信を放棄（ｄｒｏｐ）し、Ｄ２が受信されるサブフレームの以前サブフレームをギャップサブフレームとして使用してサブバンドスイッチングを実行して、Ｄ２の受信を実行することができる。
【０３４２】
ii）基地局は、ダウンリンクグラントを送信し、対応するＰＤＳＣＨを送信する前までは、次のダウンリンクグラントを送信しない（例えば、Ｎｕｍｂｅｒ  ｏｆ  ＨＡＲＱ  ｐｒｏｃｅｓｓ＝１）。
【０３４３】
iii）基地局は、第１のダウンリンクグラントを送信した後、対応する第２のＰＤＳＣＨ（例えば、Ｄ１）を送信する以前に送信する第２のダウンリンクグラントは、第１のＰＤＳＣＨと同じサブバンド上の第２のＰＤＳＣＨをスケジューリングすることができる。
【０３４４】
図２６ａは、Ｋ番目の有効なサブフレーム上でＰＤＳＣＨの受信を開始する方案を示す流れ図である。
【０３４５】
まず、ＬＣ機器がカバレッジ増大（ＣＥ）が設定された場合、Ｍ−ＰＤＣＣＨが繰り返されるバンドルを複数のサブフレーム上で受信する。
【０３４６】
ＬＣ機器は、繰り返し受信の最後のサブフレーム位置を決定する。
【０３４７】
そして、ＬＣ機器は、最後のサブフレーム位置に基づいて、ＰＤＳＣＨの繰り返しを受信するサブフレーム位置を決定する。
【０３４８】
このとき、最後のサブフレームをサブフレームｎとする時、ＰＤＳＣＨの繰り返し受信は、ｎ＋Ｋ番目の有効なサブフレームで開始されることができる。容易に説明すると、サブフレームｎ以後のサブフレームのうちＫ番目の有効なサブフレームでＰＤＳＣＨの繰り返し受信が開始されることができる。
【０３４９】
ここで、有効なサブフレームは、Ｉ節で説明した通りである。Ｋは、前述したように、Ｋは、２より大きいまたは同じである。
【０３５０】
前述したように、このような内容は、ＰＵＳＣＨの送信にも適用されることができる。これに対して、図２５ｂを参照して説明すると、下記の通りである。
【０３５１】
図２６ｂは、Ｋ番目の有効なサブフレーム上でＰＵＳＣＨの送信を開始する方案を示す流れ図である。
【０３５２】
まず、ＬＣ機器がカバレッジ増大（ＣＥ）が設定された場合、Ｍ−ＰＤＣＣＨが繰り返されるバンドルを複数のサブフレーム上で受信する。
【０３５３】
ＬＣ機器は、繰り返し受信の最後のサブフレーム位置を決定する。
【０３５４】
そして、ＬＣ機器は、最後のサブフレーム位置に基づいて、ＰＵＳＣＨの繰り返し送信を開始するサブフレーム位置を決定する。ここで、開始サブフレームは、最後のサブフレーム以後の有効サブフレームの中から決定されることができる。例えば、ＰＵＳＣＨの繰り返し送信は、Ｋ番目の有効なサブフレームで開始されることができる。容易に説明すると、サブフレームｎ以後のサブフレームのうちＫ番目の有効なサブフレームでＰＵＳＣＨの繰り返し送信が開始されることができる。ここで、有効なサブフレームは、Ｉ節で説明した通りである。また、例えば、「Ｉ−４．ＰＵＳＣＨのタイミング」で説明したように、Ｋは、４より大きいまたは同じである。
【０３５５】
VI．本明細書の第６の開示：ＴＤＤタイミング
【０３５６】
VI−１．Ｍ−ＰＤＣＣＨとＰＤＳＣＨとの間のタイミング
【０３５７】
ＴＤＤ環境で交差−サブフレームスケジューリングが適用される場合、Ｍ−ＰＤＣＣＨがサブフレーム＃ｎで受信された時、ＬＣ機器は、サブフレーム＃ｎ＋Ｋ（例えば、Ｋ＝２）以後のサブフレームのうち１番目に有効なサブフレームでＰＤＳＣＨの受信を実行することができる。しかし、このような場合、互いに異なるサブフレーム上で受信される２個のＭ−ＰＤＣＣＨが互いに同じダウンリンクサブフレーム（または、スペシャルサブフレーム）上でのＰＤＳＣＨをスケジューリングすることができ、それによって、なんのＰＤＳＣＨも受信されないダウンリンクサブフレーム（または、サブフレーム）が存在する場合がある。例えば、Ｕ／Ｄ設定０の場合、Ｍ−ＰＤＣＣＨがサブフレーム＃０と＃１で各々受信され、対応するＰＤＳＣＨは、サブフレーム＃５上で全て受信されなければならないため、重なる問題が発生できる。同様に、Ｍ−ＰＤＣＣＨがサブフレーム＃５と＃６で各々受信され、対応する２個のＰＤＳＣＨは、両方ともサブフレーム＃０上で受信されなければならないため、重なる問題が発生できる。この場合、サブフレーム＃１と＃６は、ＰＤＳＣＨの送信に使われないようになる。
【０３５８】
このように、一部サブフレームでのみＰＤＳＣＨの受信が行われることを防止するために、以下の表６及び表７に示すように、Ｕ／Ｄ設定によってＭ−ＰＤＣＣＨ（ＤＬグラント）が受信されるサブフレームによるＫｎ値を決めることを提案する。このとき、Ｍ−ＰＤＣＣＨがサブフレーム＃ｎで受信される場合、対応するＰＤＳＣＨは、サブフレーム＃ｎ＋Ｋｎ上で受信されることができる。表６及び表７の例のように、ダウンリンクグラントが受信されるサブフレームと、そして対応ＰＤＳＣＨが受信されるサブフレームとのサブフレーム差（Ｋ）の値が最小１または２になって、各ダウンリンクサブフレーム（または、スペシャルサブフレーム）で受信されるダウンリンクグラントがスケジューリングするＰＤＳＣＨが受信されるサブフレームがダウンリンクサブフレーム（及びスペシャルサブフレーム）に均等に位置するように設定できる。表６は、Ｋｎの最小値が２の場合であり、表７は、Ｋｎの最小値が１の場合である。
【０３５９】
【表６】
0006676070.tif 000008
【０３６０】
【表７】
0006676070.tif 000009
【０３６１】
一方、スペシャルサブフレームでＭ−ＰＤＣＣＨ及びＰＤＳＣＨを受信することができない場合（例えば、ＤｗＰＴＳ  ｌｅｎｇｔｈ＜＝３ＯＦＤＭ  ｓｙｍｂｏｌｓ）、表８または表９に示すようにスペシャルサブフレームを除外してダウンリンクグラントがスケジューリングするＰＤＳＣＨが受信されるサブフレームがダウンリンクサブフレームに均等に位置するように設定できる。表８は、Ｋｎの最小値が２の場合であり、表９は、Ｋｎの最小値が１の場合である。
【０３６２】
【表８】
0006676070.tif 000010
【０３６３】
【表９】
0006676070.tif 000011
【０３６４】
Ｉ節で説明したような有効なサブフレームが全体ダウンリンクサブフレーム及びスペシャルサブフレームのうち一部サブフレームのみを含む時、ダウンリンクグラントがサブフレーム＃ｎで受信される時、サブフレーム＃ｎ＋１以後のサブフレームのうちＫ番目の（Ｋ＝１または２）有効なサブフレーム上でＰＤＳＣＨが受信されることができる。
【０３６５】
VI−２．Ｍ−ＰＤＣＣＨとＰＵＳＣＨとの間のタイミング
【０３６６】
ＴＤＤ環境で交差−サブフレームスケジューリングを介してＰＵＳＣＨをスケジューリングする場合、Ｍ−ＰＤＣＣＨがサブフレーム＃ｎで受信された時、ＬＣ機器は、サブフレーム＃ｎ＋Ｋ（例えば、Ｋ＝４または５）以後のサブフレームのうち１番目に有効なサブフレームでＰＵＳＣＨの送信を実行することができる。このとき、一部サブフレームでのみＰＵＳＣＨの送信が行われることを防止するために、表１０または表１１に示すように、Ｕ／Ｄ設定によって、Ｍ−ＰＤＣＣＨ（ＵＬグラント）が送信されるサブフレームによるＫｎ値を設定することを提案する。このとき、ＰＵＳＣＨをスケジューリングするＭ−ＰＤＣＣＨがサブフレーム＃ｎで受信される場合、ＰＵＳＣＨは、サブフレーム＃ｎ＋Ｋｎを介して送信されることができる。表１０と表１１の例のように、アップリンクグラントが受信されるサブフレームと対応ＰＵＳＣＨが送信されるサブフレームとのサブフレーム差（Ｋ）の値が最小４または５になって、各ダウンリンクサブフレーム（または、スペシャルサブフレーム）で受信したアップリンクグラントがスケジューリングするＰＵＳＣＨが送信されるサブフレームがアップリンクサブフレームに均等に位置するように設定できる。
【０３６７】
一方、スペシャルサブフレームのＤｗＰＴＳの長さが短かい、またはスペシャルサブフレームがサブバンドスイッチングのためのギャップサブフレームとして使われる場合、基地局は、スペシャルサブフレームではＭ−ＰＤＣＣＨを送信しにくい。したがって、表１２と表１３に示すように、最大限スペシャルサブフレームを避けてＭ−ＰＤＣＣＨ（アップリンクグラント）が送信されるようにＫｎの値を決めることができる。即ち、アップリンクサブフレームの数がダウンリンクサブフレームの数と同じまたは小さい場合、スペシャルサブフレームを除外したダウンリンクサブフレームでのみアップリンクグラントが送信されることができ、これを考慮してＫｎの値を決めることができる。
【０３６８】
以下の表でＫｎの値が表記されていないサブフレームは（カバレッジ増大が必要でなくて、該当ＬＣ機器にＭ−ＰＤＣＣＨの繰り返し送信が実行されないサブフレーム）、アップリンクグラントが送信されることができないサブフレームである。
【０３６９】
表１０と表１２は、Ｋｎの最小値が４の場合であり、表１１と表１３は、Ｋｎの最小値が５の場合である。
【０３７０】
【表１０】
0006676070.tif 000012
【０３７１】
【表１１】
0006676070.tif 000013
【０３７２】
【表１２】
0006676070.tif 000014
【０３７３】
【表１３】
0006676070.tif 000015
【０３７４】
一方、ＰＵＳＣＨが送信されるべきアップリンクサブフレームが有効でないサブフレームである場合（例えば、サブバンドスイッチングのためのギャップサブフレームの場合）、ＬＣ機器は、ＰＵＳＣＨ送信を放棄（ｄｒｏｐ）して送信を実行しない。
【０３７５】
このとき、ＰＵＳＣＨが送信されるべきアップリンクサブフレームが有効でないサブフレームになることを防止するために、サブバンドスイッチングのためのギャップサブフレームは、常に下記のようなサブフレームでのみ存在することを提案する。
【０３７６】
第１のオプション：アップリンク送信のために使われないダウンリンク／スペシャルサブフレーム
【０３７７】
第２のオプション：アップリンク送信のために使われないスペシャルサブフレーム
【０３７８】
また、アップリンクグラントが受信されるべきダウンリンク／スペシャルサブフレームが有効でないサブフレームになってアップリンクグラントが送信されることができないことを最大限防止するために、サブバンドスイッチングのためのギャップサブフレームは、常に下記のようなサブフレームでのみ存在することを提案する。
【０３７９】
第１のオプション：アップリンクグラントが送信されないダウンリンク／スペシャルサブフレーム
【０３８０】
第２のオプション：アップリンクグラントが送信されることができないダウンリンク／スペシャルサブフレーム
【０３８１】
第３のオプション：スペシャルサブフレーム
【０３８２】
連続的なアップリンクサブフレーム間でサブバンドスイッチングのためのギャップサブフレームを生成することを防止するために、連続的なアップリンクサブフレームにスケジューリングされるＰＵＳＣＨの全ては、同じサブバンドを介して送信されるように制限されることができる。
【０３８３】
VI−３．ＰＤＳＣＨとＰＵＣＣＨとの間のタイミング
【０３８４】
ＴＤＤ環境でＰＤＳＣＨの送信がサブフレーム＃ｎで行われた時、ＬＣ機器は、サブフレーム＃ｎ＋Ｋ（例えば、Ｋ＝４または５）以後のサブフレームのうち１番目に有効なサブフレームでＰＵＣＣＨ（Ａ／Ｎ）を送信することができる。このとき、一部サブフレームでのみＰＵＣＣＨの送信が行われることを防止するために、表１４または表１５に示すように、Ｕ／Ｄ設定によって、ＰＤＳＣＨが送信されるサブフレームによるＫｎ値を設定することを提案する。このとき、ＰＤＳＣＨがサブフレーム＃ｎで受信される場合、ＰＵＣＣＨ（Ａ／Ｎ）は、サブフレーム＃ｎ＋Ｋｎを介して送信されることができる。表１４及び表１５に示すように、各ダウンリンク／スペシャルサブフレームで受信したＰＤＳＣＨに対するＰＵＣＣＨがアップリンクサブフレームに均等に分布するようにＫｎの値を決めることができる。即ち、１０ｍｓｅｃ内にダウンリンク／スペシャルサブフレームの数がＤ個の時、同じアップリンクサブフレームにＰＵＣＣＨ（Ａ／Ｎ）情報を送信するように設定されたダウンリンクサブフレームの個数が以下の数式のようになるようにＫｎの値を決めることができる。
【０３８５】
【数１】
0006676070.tif 000016
【０３８６】
表１４は、Ｋｎの最小値が４の場合であり、表１５は、Ｋｎの最小値が５の場合である。
【０３８７】
【表１４】
0006676070.tif 000017
【０３８８】
【表１５】
0006676070.tif 000018
【０３８９】
VI−４．ＰＵＳＣＨとＰＨＩＣＨとの間のタイミング
【０３９０】
ＴＤＤ環境でＰＵＳＣＨの送信がサブフレーム＃ｎで行われた時、ＬＣ機器は、サブフレーム＃ｎ＋Ｋ（例えば、Ｋ＝４または５）以後のサブフレームのうち１番目に有効なサブフレームでＡ／Ｎを含むＰＨＩＣＨを受信することができる。このとき、一部サブフレームでのみＡ／Ｎを含むＰＨＩＣＨが受信されることを防止するために、表１６または表１７のように、Ｕ／Ｄ設定によって、ＰＵＳＣＨが送信されるサブフレームによるＫｎ値を設定することを提案する。このとき、ＰＵＳＣＨがサブフレーム＃ｎで送信される場合、Ａ／Ｎを含むＰＨＩＣＨは、サブフレーム＃ｎ＋Ｋｎを介して受信されることができる。表１６乃至表１９のように、各アップリンクサブフレームで送信したＰＵＳＣＨに対するＰＨＩＣＨ（Ａ／Ｎ）がダウンリンクサブフレームに均等に分布するようにＫｎの値を決めることができる。
【０３９１】
一方、既存ＵＥのためのＰＨＩＣＨを受信することができないＬＣ機器の場合、スペシャルサブフレームのＤｗＰＴＳの長さが短かい、またはスペシャルサブフレームがサブバンドスイッチングのためのギャップサブフレームとして使われる場合、スペシャルサブフレームではＡ／Ｎを受信しにくい。したがって、表１８と表１９のように、最大限スペシャルサブフレームを避けてＰＨＩＣＨ（Ａ／Ｎ）が送信されるようにＫｎの値を決めることができる。即ち、アップリンクサブフレームの数がダウンリンクサブフレームの数と同じまたは小さい場合、スペシャルサブフレームを除外したダウンリンクサブフレームでのみＰＨＩＣＨ（Ａ／Ｎ）が送信されることができ、これを考慮してＫｎの値を決めることができる。
【０３９２】
表１６と表１８は、Ｋｎの最小値が４の場合であり、表１７と表１９は、Ｋｎの最小値が５の場合である。
【０３９３】
【表１６】
0006676070.tif 000019
【０３９４】
【表１７】
0006676070.tif 000020
【０３９５】
【表１８】
0006676070.tif 000021
【０３９６】
【表１９】
0006676070.tif 000022
【０３９７】
一方、ＰＨＩＣＨが受信されるべきダウンリンクサブフレームが有効でないサブフレームの場合（例えば、サブバンドスイッチングのためのギャップサブフレームの場合）、ＬＣ機器は、ＰＨＩＣＨ（Ａ／Ｎ）が基地局により送信されないと仮定することができる。ＰＨＩＣＨ（Ａ／Ｎ）が送信されないと仮定する場合、ＬＣ機器は、下記のように動作できる。
【０３９８】
第１のオプション：ＰＵＳＣＨの送信が成功してＡＣＫを受信したと仮定する。
【０３９９】
第２のオプション：ＰＵＳＣＨの送信に失敗してＮＡＣＫを受信したと仮定して動作する。
【０４００】
第３のオプション：ＰＨＩＣＨの受信に失敗したと仮定し、ＰＨＩＣＨの受信に失敗した場合の動作に従う。
【０４０１】
第４のオプション：ＰＨＩＣＨ（Ａ／Ｎ）が受信されるべきサブフレームの次のダウンリンクサブフレームで自分が送信した他のＰＵＳＣＨに対するＰＨＩＣＨ（Ａ／Ｎ）の受信を期待しない場合、ＬＣ機器は、該当サブフレームで基地局によりＰＨＩＣＨ（Ａ／Ｎ）が送信されると仮定することができる。ＰＨＩＣＨ（Ａ／Ｎ）が受信されるべきサブフレームの次のダウンリンクサブフレームで自分が送信した他のＰＵＳＣＨに対するＰＨＩＣＨ（Ａ／Ｎ）の受信を期待する場合、第１のオプション乃至第３のオプションの動作に従う。
【０４０２】
前記内容は、ＰＵＳＣＨに対するＡＣＫ／ＮＡＣＫ情報が他のチャネル（例えば、ＥＰＨＩＣＨ（ｅｎｈａｎｃｅｄ  ＰＨＩＣＨ）、Ｍ−ＰＤＣＣＨ、Ｍ−ＰＤＣＣＨ、Ｍ−ＰＤＣＣＨ）を介して受信される場合、またはＬＣ機器が送信したＰＵＳＣＨに対する再送信をスケジューリングするＭ−ＰＤＣＣＨが受信される場合にも同じく適用されることができる。
【０４０３】
以上で説明した本発明の実施例は、多様な手段を介して具現されることができる。例えば、本発明の実施例は、ハードウェア、ファームウェア（ｆｉｒｍｗａｒｅ）、ソフトウェアまたはそれらの結合などにより具現されることができる。具体的に、図面を参照して説明する。
【０４０４】
図２７は、本明細書の開示が具現される無線通信システムを示すブロック図である。
【０４０５】
基地局２００は、プロセッサ（ｐｒｏｃｅｓｓｏｒ）２０１、メモリ（ｍｅｍｏｒｙ）２０２及び送受信部（または、ＲＦ（ｒａｄｉｏ  ｆｒｅｑｕｅｎｃｙ）部）２０３を含む。メモリ２０２は、プロセッサ２０１と連結され、プロセッサ２０１を駆動するための多様な情報を格納する。送受信部（または、ＲＦ部）２０３は、プロセッサ２０１と連結され、無線信号を送信及び／または受信する。プロセッサ２０１は、提案された機能、過程及び／または方法を具現する。前述した実施例で、基地局の動作は、プロセッサ２０１により具現されることができる。
【０４０６】
ＬＣ機器１００は、プロセッサ１０１、メモリ１０２及び送受信部（または、ＲＦ部）１０３を含む。メモリ１０２は、プロセッサ１０１と連結され、プロセッサ１０１を駆動するための多様な情報を格納する。送受信部（または、ＲＦ部）１０３は、プロセッサ１０１と連結され、無線信号を送信及び／または受信する。プロセッサ１０１は、提案された機能、過程及び／または方法を具現する。
【０４０７】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０４０８】
前述した例示的なシステムで、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0006676070.tif 000023
【図２】
0006676070.tif 000024
【図３】
0006676070.tif 000025
【図４】
0006676070.tif 000026
【図５】
0006676070.tif 000027
【図６】
0006676070.tif 000028
【図７】
0006676070.tif 000029
【図８ａ】
0006676070.tif 000030
【図８ｂ】
0006676070.tif 000031
【図９】
0006676070.tif 000032
【図１０ａ】
0006676070.tif 000033
【図１０ｂ】
0006676070.tif 000034
【図１１】
0006676070.tif 000035
【図１２ａ】
0006676070.tif 000036
【図１２ｂ】
0006676070.tif 000037
【図１３】
0006676070.tif 000038
【図１４ａ】
0006676070.tif 000039
【図１４ｂ】
0006676070.tif 000040
【図１４ｃ】
0006676070.tif 000041
【図１５ａ】
0006676070.tif 000042
【図１５ｂ】
0006676070.tif 000043
【図１６ａ】
0006676070.tif 000044
【図１６ｂ】
0006676070.tif 000045
【図１７】
0006676070.tif 000046
【図１８】
0006676070.tif 000047
【図１９】
0006676070.tif 000048
【図２０ａ】
0006676070.tif 000049
【図２０ｂ】
0006676070.tif 000050
【図２１ａ】
0006676070.tif 000051
【図２１ｂ】
0006676070.tif 000052
【図２２】
0006676070.tif 000053
【図２３ａ】
0006676070.tif 000054
【図２３ｂ】
0006676070.tif 000055
【図２４ａ】
0006676070.tif 000056
【図２４ｂ】
0006676070.tif 000057
【図２４ｃ】
0006676070.tif 000058
【図２５ａ】
0006676070.tif 000059
【図２５ｂ】
0006676070.tif 000060
【図２６ａ】
0006676070.tif 000061
【図２６ｂ】
0006676070.tif 000062
【図２７】
0006676070.tif 000063